(57)【要約】      （修正有）【課題】ダウンリンクの空間分割多元接続（ＳＤＭＡ）システムにおいて、１つ以上のユーザ依存のチャネル状態情報（ＣＳＩ）フィードバックレートをサポートするための方法および装置を提供する。【解決手段】アクセスポイント（ＡＰ）が、１つ以上の局からチャネル進化フィードバックを受信し、ＣＳＩ値を更新する必要がある局に、ＣＳＩに対する要求を送る。ＡＰは、更新されたＣＳＩ値について、その局をポーリングする。局のＣＳＩフィードバックを送るときを示している決定論的バックオフタイマーを局に割り当て、システム性能を改善する。【選択図】図１０
2014096822.tif 000002
【特許請求の範囲】
【請求項１】
ワイヤレス通信のための方法において、
チャネル状態情報（ＣＳＩ）フィードバックのために複数の装置のそれぞれをポーリングするための、別個のポーリングメッセージを送信することと、
前記ポーリングメッセージに応答して、前記ポーリングされた装置のうちの１つ以上からＣＳＩフィードバックを受信することとを含む方法。
【請求項２】
前記ポーリングメッセージの前には、ＮＤＰフレームが後続するヌルデータパケット（ＮＤＰ）アナウンスフレームが先行する請求項１記載の方法。
【請求項３】
ゆっくりと進化するチャネルで経時的に装置に送信されるポーリングメッセージは、より早く進化するチャネルで装置に送信されるポーリングメッセージと比較して頻度が低い請求項１記載の方法。
【請求項４】
前記受信したＣＳＩフィードバックに基づいて、前記装置への送信のために使用されるプリコーディング重みを更新することをさらに含む請求項１記載の方法。
【請求項５】
前記ＣＳＩフィードバックを受信することは、前記複数の装置のすべてよりも少ない装置からＣＳＩフィードバックを受信することを含む請求項１記載の方法。
【請求項６】
前記ＣＳＩフィードバックは、現在の推定されたチャネルの表現を含む請求項１記載の方法。
【請求項７】
前記ＣＳＩフィードバックは、以前に受信されたＣＳＩフィードバックが送信されてからの、推定されたチャネルの相対的変化の表現を含む請求項１記載の方法。
【請求項８】
前記ＣＳＩフィードバックは、前記ＣＳＩフィードバックが最後に受信されてから前記推定されたチャネルが大幅に変更していないことを示すために、ヌルデータフレームまたは肯定応答フレームのうちの少なくとも１つを含む請求項７記載の方法。
【請求項９】
前記ＣＳＩフィードバックは、前記ＣＳＩフィードバック中に含まれているＣＳＩのタイプの指示を含む請求項１記載の方法。
【請求項１０】
前記ＣＳＩフィードバックのタイプは、マルチユーザ（ＭＵ）または単一ユーザ（ＳＵ）である請求項９記載の方法。
【請求項１１】
前記ポーリングメッセージは、前記ポーリングメッセージを送信した要求デバイスによってサポートされているＣＳＩフィードバックのタイプの指示を含む請求項１記載の方法。
【請求項１２】
前記ポーリングメッセージは、ＣＳＩフィードバックに対する差分更新がサポートされているか否かの指示を含む請求項１１記載の方法。
【請求項１３】
前記ＣＳＩフィードバックの受信を肯定応答する肯定応答メッセージを送信することをさらに含む請求項１記載の方法。
【請求項１４】
ワイヤレス通信のための方法において、
チャネル状態情報（ＣＳＩ）を更新する必要があるか否かを決定することと、
装置からポーリングメッセージを受信することと、
前記ＣＳＩを更新する必要があることを決定した場合、前記ポーリングメッセージに応答して、ＣＳＩフィードバックを前記装置に送信することとを含む方法。
【請求項１５】
前記ポーリングメッセージの前には、ＮＤＰフレームが後続するヌルデータパケット（ＮＤＰ）アナウンスフレームが先行する請求項１４記載の方法。
【請求項１６】
前記決定は、
最も最近のＣＳＩ更新が送信されてからの、チャネルエイジングの程度を決定することを含む請求項１４記載の方法。
【請求項１７】
前記決定は、
前記装置から受信した１つ以上の信号に基づいて、ＣＳＩ値を計算することと、
前記ＣＳＩ値と、前記装置に送信された最も最近のＣＳＩ値とを比較することと、
前記ＣＳＩ値と前記最も最近のＣＳＩ値との間の差が、しきい値に等しい場合に、または、しきい値よりも大きい場合に、ＣＳＩを更新することを決めることとを含む請求項１４記載の方法。
【請求項１８】
前記ＣＳＩフィードバックは、現在の推定されたチャネルの表現を含む請求項１４記載の方法。
【請求項１９】
前記ＣＳＩフィードバックは、前記ＣＳＩフィードバックの以前の送信のときからの、推定されたチャネルの相対的変化の表現を含む請求項１４記載の方法。
【請求項２０】
前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む請求項１９記載の方法。
【請求項２１】
前記ＣＳＩフィードバックは、前記ＣＳＩフィードバック中に含まれているＣＳＩのタイプの指示を含む請求項１４記載の方法。
【請求項２２】
前記ＣＳＩフィードバックのタイプは、マルチユーザ（ＭＵ）または単一ユーザ（ＳＵ）である請求項２１記載の方法。
【請求項２３】
前記ポーリングメッセージは、前記ポーリングメッセージを送信した前記装置によってサポートされているＣＳＩフィードバックのタイプの指示を含む請求項１４記載の方法。
【請求項２４】
前記ＣＳＩフィードバックのタイプは、マルチユーザ（ＭＵ）または単一ユーザ（ＳＵ）である請求項２３記載の方法。
【請求項２５】
前記ポーリングメッセージは、ＣＳＩフィードバックに対する差分更新がサポートされているか否かの指示を含む請求項２３記載の方法。
【請求項２６】
ワイヤレス通信のための装置において、
チャネル状態情報（ＣＳＩ）フィードバックのために複数の装置のそれぞれをポーリングするための、別個のポーリングメッセージを送信するように構成されている送信機と、
前記ポーリングメッセージに応答して、前記ポーリングされた装置のうちの１つ以上からＣＳＩフィードバックを受信するように構成されている受信機とを具備する装置。
【請求項２７】
前記ポーリングメッセージの前には、ＮＤＰフレームが後続するヌルデータパケット（ＮＤＰ）アナウンスフレームが先行する請求項２６記載の装置。
【請求項２８】
ゆっくりと進化するチャネルで経時的に装置に送信されるポーリングメッセージは、より早く進化するチャネルで装置に送信されるポーリングメッセージと比較して頻度が低い請求項２６記載の装置。
【請求項２９】
前記受信したＣＳＩフィードバックに基づいて、前記装置への送信のために使用されるプリコーディング重みを更新するように構成されている回路をさらに具備する請求項２６記載の装置。
【請求項３０】
前記ＣＳＩフィードバックを受信するように構成されている回路は、前記複数の装置のすべてよりも少ない装置からＣＳＩフィードバックを受信するように構成されている回路を含む請求項２６記載の装置。
【請求項３１】
前記ＣＳＩフィードバックは、現在の推定されたチャネルの表現を含む請求項２６記載の装置。
【請求項３２】
前記ＣＳＩフィードバックは、以前に受信されたＣＳＩフィードバックが送信されてからの、推定されたチャネルの相対的変化の表現を含む請求項２６記載の装置。
【請求項３３】
前記ＣＳＩフィードバックは、前記ＣＳＩフィードバックが最後に受信されてから前記推定されたチャネルが大幅に変更していないことを示すために、ヌルデータフレームまたは肯定応答フレームのうちの少なくとも１つを含む請求項３２記載の装置。
【請求項３４】
前記ＣＳＩフィードバックは、前記ＣＳＩフィードバック中に含まれているＣＳＩのタイプの指示を含む請求項２６記載の装置。
【請求項３５】
前記ＣＳＩフィードバックのタイプは、マルチユーザ（ＭＵ）または単一ユーザ（ＳＵ）である請求項３４記載の装置。
【請求項３６】
前記ポーリングメッセージは、前記ポーリングメッセージを送信した要求デバイスによってサポートされているＣＳＩフィードバックのタイプの指示を含む請求項２６記載の装置。
【請求項３７】
前記ポーリングメッセージは、ＣＳＩフィードバックに対する差分更新がサポートされているか否かの指示を含む請求項３６記載の装置。
【請求項３８】
前記送信機は、前記ＣＳＩフィードバックの受信を肯定応答する肯定応答メッセージを送信するようにさらに構成されている請求項２６記載の装置。
【請求項３９】
ワイヤレス通信のための装置において、
チャネル状態情報（ＣＳＩ）を更新する必要があるか否かを決定するように構成されている回路と、
装置からポーリングメッセージを受信するように構成されている受信機と、
前記ＣＳＩを更新する必要があることを決定した場合、前記ポーリングメッセージに応答して、ＣＳＩフィードバックを前記装置に送信するように構成されている送信機とを具備する装置。
【請求項４０】
前記ポーリングメッセージの前には、ＮＤＰフレームが後続するヌルデータパケット（ＮＤＰ）アナウンスフレームが先行する請求項３９記載の装置。
【請求項４１】
前記決定するように構成されている回路は、
最も最近のＣＳＩ更新が送信されてからの、チャネルエイジングの程度を決定するように構成されている回路を含む請求項３９記載の装置。
【請求項４２】
前記決定するように構成されている回路は、
前記装置から受信した１つ以上の信号に基づいて、ＣＳＩ値を計算するように構成されている回路と、
前記ＣＳＩ値と、前記装置に送信された最も最近のＣＳＩ値とを比較するように構成されている回路と、
前記ＣＳＩ値と前記最も最近のＣＳＩ値との間の差が、しきい値に等しい場合に、または、しきい値よりも大きい場合に、ＣＳＩを更新することを決めるように構成されている回路とを含む請求項３９記載の装置。
【請求項４３】
前記ＣＳＩフィードバックは、現在の推定されたチャネルの表現を含む請求項３９記載の装置。
【請求項４４】
前記ＣＳＩフィードバックは、前記ＣＳＩフィードバックの以前の送信のときからの、推定されたチャネルの相対的変化の表現を含む請求項３９記載の装置。
【請求項４５】
前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む請求項４４記載の装置。
【請求項４６】
前記ＣＳＩフィードバックは、前記ＣＳＩフィードバック中に含まれているＣＳＩのタイプの指示を含む請求項３９記載の装置。
【請求項４７】
前記ＣＳＩフィードバックのタイプは、マルチユーザ（ＭＵ）または単一ユーザ（ＳＵ）である請求項４６記載の装置。
【請求項４８】
前記ポーリングメッセージは、前記ポーリングメッセージを送信した前記装置によってサポートされているＣＳＩフィードバックのタイプの指示を含む請求項３９記載の装置。
【請求項４９】
前記ＣＳＩフィードバックのタイプは、マルチユーザ（ＭＵ）または単一ユーザ（ＳＵ）である請求項４８記載の装置。
【請求項５０】
前記ポーリングメッセージは、ＣＳＩフィードバックに対する差分更新がサポートされているか否かの指示を含む請求項４８記載の装置。
【請求項５１】
ワイヤレス通信のための装置において、
チャネル状態情報（ＣＳＩ）フィードバックのために複数の装置のそれぞれをポーリングするための、別個のポーリングメッセージを送信する手段と、
前記ポーリングメッセージに応答して、前記ポーリングされた装置のうちの１つ以上からＣＳＩフィードバックを受信する手段とを具備する装置。
【請求項５２】
前記ポーリングメッセージの前には、ＮＤＰフレームが後続するヌルデータパケット（ＮＤＰ）アナウンスフレームが先行する請求項５１記載の装置。
【請求項５３】
ゆっくりと進化するチャネルで経時的に装置に送信されるポーリングメッセージは、より早く進化するチャネルで装置に送信されるポーリングメッセージと比較して頻度が低い請求項５１記載の装置。
【請求項５４】
前記受信したＣＳＩフィードバックに基づいて、前記装置への送信のために使用されるプリコーディング重みを更新する手段をさらに具備する請求項５１記載の装置。
【請求項５５】
前記ＣＳＩフィードバックを受信する手段は、前記複数の装置のすべてよりも少ない装置からＣＳＩフィードバックを受信する手段を備える請求項５１記載の装置。
【請求項５６】
前記ＣＳＩフィードバックは、現在の推定されたチャネルの表現を含む請求項５１記載の装置。
【請求項５７】
前記ＣＳＩフィードバックは、以前に受信されたＣＳＩフィードバックが送信されてからの、推定されたチャネルの相対的変化の表現を含む請求項５１記載の装置。
【請求項５８】
前記ＣＳＩフィードバックは、前記ＣＳＩフィードバックが最後に受信されてから前記推定されたチャネルが大幅に変更していないことを示すために、ヌルデータフレームまたは肯定応答フレームのうちの少なくとも１つを含む請求項５７記載の装置。
【請求項５９】
前記ＣＳＩフィードバックは、前記ＣＳＩフィードバック中に含まれているＣＳＩのタイプの指示を含む請求項５１記載の装置。
【請求項６０】
前記ＣＳＩフィードバックのタイプは、マルチユーザ（ＭＵ）または単一ユーザ（ＳＵ）である請求項５９記載の装置。
【請求項６１】
前記ポーリングメッセージは、前記ポーリングメッセージを送信した要求デバイスによってサポートされているＣＳＩフィードバックのタイプの指示を含む請求項５１記載の装置。
【請求項６２】
前記ポーリングメッセージは、ＣＳＩフィードバックに対する差分更新がサポートされているか否かの指示を含む請求項６１記載の装置。
【請求項６３】
前記送信する手段は、前記ＣＳＩフィードバックの受信を肯定応答する肯定応答メッセージを送信する手段をさらに備える請求項５１記載の装置。
【請求項６４】
ワイヤレス通信のための装置において、
チャネル状態情報（ＣＳＩ）を更新する必要があるか否かを決定する手段と、
装置からポーリングメッセージを受信する手段と、
前記ＣＳＩを更新する必要があることを決定した場合、前記ポーリングメッセージに応答して、ＣＳＩフィードバックを前記装置に送信する手段とを具備する装置。
【請求項６５】
前記ポーリングメッセージの前には、ＮＤＰフレームが後続するヌルデータパケット（ＮＤＰ）アナウンスフレームが先行する請求項６４記載の装置。
【請求項６６】
前記決定する手段は、
最も最近のＣＳＩ更新が送信されてからの、チャネルエイジングの程度を決定する手段を備える請求項６４記載の装置。
【請求項６７】
前記決定する手段は、
前記装置から受信した１つ以上の信号に基づいて、ＣＳＩ値を計算する手段と、
前記ＣＳＩ値と、前記装置に送信された最も最近のＣＳＩ値とを比較する手段と、
前記ＣＳＩ値と前記最も最近のＣＳＩ値との間の差が、しきい値に等しい場合に、または、しきい値よりも大きい場合に、ＣＳＩを更新することを決める手段とを備える請求項６４記載の装置。
【請求項６８】
前記ＣＳＩフィードバックは、現在の推定されたチャネルの表現を含む請求項６４記載の装置。
【請求項６９】
前記ＣＳＩフィードバックは、前記ＣＳＩフィードバックの以前の送信のときからの、推定されたチャネルの相対的変化の表現を含む請求項６４記載の装置。
【請求項７０】
前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む請求項６９記載の装置。
【請求項７１】
前記ＣＳＩフィードバックは、前記ＣＳＩフィードバック中に含まれているＣＳＩのタイプの指示を含む請求項６４記載の装置。
【請求項７２】
前記ＣＳＩフィードバックのタイプは、マルチユーザ（ＭＵ）または単一ユーザ（ＳＵ）である請求項７１記載の装置。
【請求項７３】
前記ポーリングメッセージは、前記ポーリングメッセージを送信した前記装置によってサポートされているＣＳＩフィードバックのタイプの指示を含む請求項６４記載の装置。
【請求項７４】
前記ＣＳＩフィードバックのタイプは、マルチユーザ（ＭＵ）または単一ユーザ（ＳＵ）である請求項７３記載の装置。
【請求項７５】
前記ポーリングメッセージは、ＣＳＩフィードバックに対する差分更新がサポートされているか否かの指示を含む請求項７３記載の装置。
【請求項７６】
ワイヤレス通信のためのコンピュータプログラムプロダクトにおいて、
チャネル状態情報（ＣＳＩ）フィードバックのために複数の装置のそれぞれをポーリングするための、別個のポーリングメッセージを送信するために実行可能な命令と、
前記ポーリングメッセージに応答して、前記ポーリングされた装置のうちの１つ以上からＣＳＩフィードバックを受信するために実行可能な命令とを含むコンピュータ読み取り可能媒体を具備するコンピュータプログラムプロダクト。
【請求項７７】
ワイヤレス通信のためのコンピュータプログラムプロダクトにおいて、
チャネル状態情報（ＣＳＩ）を更新する必要があるか否かを決定するために実行可能な命令と、
装置からポーリングメッセージを受信するために実行可能な命令と、
前記ＣＳＩを更新する必要があることを決定した場合、前記ポーリングメッセージに応答して、ＣＳＩフィードバックを前記装置に送信するために実行可能な命令とを含むコンピュータ読み取り可能媒体を具備するコンピュータプログラムプロダクト。
【請求項７８】
ワイヤレス通信のためのアクセスポイントにおいて、
複数のアンテナと、
チャネル状態情報（ＣＳＩ）フィードバックのために複数の装置のそれぞれをポーリングするための別個のポーリングメッセージを、前記複数のアンテナを通して送信するように構成されている送信機と、
前記ポーリングメッセージに応答して、前記ポーリングされた装置のうちの１つ以上からＣＳＩフィードバックを受信するように構成されている受信機とを具備するアクセスポイント。
【請求項７９】
ワイヤレス通信のための局において、
少なくとも１本のアンテナと、
チャネル状態情報（ＣＳＩ）を更新する必要があるか否かを決定するように構成されている回路と、
前記少なくとも１本のアンテナを通して、装置からポーリングメッセージを受信するように構成されている受信機と、
前記ＣＳＩを更新する必要があることを決定した場合、前記ポーリングメッセージに応答して、ＣＳＩフィードバックを前記装置に送信するように構成されている送信機とを具備する局。
【発明の詳細な説明】
【米国特許法第１１９条の下での優先権の主張】
【０００１】
本特許出願は、「マルチユーザ通信システムにおいて、適応局依存のチャネル状態情報フィードバックレートをサポートするためのＭＡＣプロトコル」と題する、２００９年９月１８日に出願された米国仮特許出願シリアル番号第６１／２４３，８９１号と、「マルチユーザ通信システムにおいて、適応局依存のチャネル状態情報フィードバックレートをサポートするためのＭＡＣプロトコル」と題する、２０１０年６月１６日に出願された米国仮特許出願シリアル番号第６１／３５５，４２４号と、「マルチユーザ通信システムにおいて、適応局依存のチャネル状態情報フィードバックレートをサポートするためのＭＡＣプロトコル」と題する、２０１０年６月２４日に出願された米国仮特許出願シリアル番号第６１／３５８，２３４号との利益を主張し、これらすべては、本発明の譲受人に譲渡され、それにより参照によりここに明確に組み込まれている。
【分野】
【０００２】
本開示のある態様は、一般的に、ワイヤレス通信に関し、さらに詳細には、マルチユーザ通信システムにおいて、適応局依存のチャネル状態情報フィードバックレートをサポートすることに関する。
【背景】
【０００３】
ワイヤレス通信システムに対して求められている増加する帯域幅要件の問題を取り扱うために、高データスループットを達成しつつ、チャネルリソースを共有することによって、マルチユーザ端末が単一のアクセスポイント（ＡＰ）と通信することを可能にする異なるスキームが開発されている。複数入力または複数出力（ＭＩＭＯ）技術は、次世代通信システムのための一般的な技術として最近登場した、１つのこのようなアプローチを表す。ＭＩＭＯ技術は、電気電子技術者協会（ＩＥＥＥ）８０２．１１標準規格のような、いくつかの新興のワイヤレス通信標準規格に採用されている。ＩＥＥＥ８０２．１１は、例えば、数十メートルから二、三百メートルまでの短距離通信のためにＩＥＥＥ８０２．１１委員会によって開発された、１組のワイヤレスローカルエリアネットワーク（ＷＬＡＮ）エアインターフェース標準規格を示している。
【０００４】
ＭＩＭＯワイヤレスシステムは、データ送信のために、多数（ＮT）本の送信アンテナと、多数（ＮR）本の受信アンテナとを用いる。ＮT本の送信アンテナとＮR本の受信アンテナとによって形成されるＭＩＭＯチャネルは、ＮS個の空間ストリームに分解されてもよく、ここでは、すべての実用的な目的のために、ＮS＜＝ｍｉｎ｛ＮT，ＮR｝である。より大きい全体的なスループットを達成するために、ＮS個の空間ストリームを使用して、ＮS個の独立データストリームを送信してもよい。
【０００５】
単一のアクセスポイントおよび複数の局を持つワイヤレスネットワークでは、並行送信が、アップリンク（ＵＬ）およびダウンリンク（ＤＬ）の両方向に、異なる局に向けて複数のチャネル上で行われることがある。このようなシステムでは、非レガシーデバイスに加えてレガシーデバイスと通信する能力や、リソースの効率使用や、干渉のような多くの課題が提示される。
【概要】
【０００６】
本開示のある態様は、ワイヤレス通信のための方法を提供する。方法は、一般的に、チャネル状態情報（ＣＳＩ）フィードバックのために複数の装置のそれぞれをポーリングするための、別個のポーリングメッセージを送信することと、ポーリングメッセージに応答して、ポーリングされた装置のうちの１つ以上からＣＳＩフィードバックを受信することとを含む。
【０００７】
本開示のある態様は、ワイヤレス通信のための方法を提供する。方法は、一般的に、チャネル状態情報（ＣＳＩ）を更新する必要があるか否かを決定することと、装置からポーリングメッセージを受信することと、ＣＳＩを更新する必要があることを決定した場合、ポーリングメッセージに応答して、ＣＳＩフィードバックを装置に送信することとを含む。
【０００８】
本開示のある態様は、ワイヤレス通信のための装置を提供する。装置は、一般的に、チャネル状態情報（ＣＳＩ）フィードバックのために複数の装置のそれぞれをポーリングするための、別個のポーリングメッセージを送信するように構成されている送信機と、ポーリングメッセージに応答して、ポーリングされた装置のうちの１つ以上からＣＳＩフィードバックを受信するように構成されている受信機とを備える。
【０００９】
本開示のある態様は、ワイヤレス通信のための装置を提供する。装置は、一般的に、チャネル状態情報（ＣＳＩ）を更新する必要があるか否かを決定するように構成されている回路と、装置からポーリングメッセージを受信するように構成されている受信機と、ＣＳＩを更新する必要があることを決定した場合、ポーリングメッセージに応答して、ＣＳＩフィードバックを装置に送信するように構成されている送信機とを備える。
【００１０】
本開示のある態様は、ワイヤレス通信のための装置を提供する。装置は、一般的に、チャネル状態情報（ＣＳＩ）フィードバックのために複数の装置のそれぞれをポーリングするための、別個のポーリングメッセージを送信する手段と、ポーリングメッセージに応答して、ポーリングされた装置のうちの１つ以上からＣＳＩフィードバックを受信する手段とを備える。
【００１１】
本開示のある態様は、ワイヤレス通信のための装置を提供する。装置は、一般的に、チャネル状態情報（ＣＳＩ）を更新する必要があるか否かを決定する手段と、装置からポーリングメッセージを受信する手段と、ＣＳＩを更新する必要があることを決定した場合、ポーリングメッセージに応答して、ＣＳＩフィードバックを装置に送信する手段とを備える。
【００１２】
本開示のある態様は、命令を含むコンピュータ読み取り可能媒体を具備する、ワイヤレス通信のためのコンピュータプログラムプロダクトを提供する。命令は、チャネル状態情報（ＣＳＩ）フィードバックのために複数の装置のそれぞれをポーリングするための、別個のポーリングメッセージを送信するために実行可能であり、ポーリングメッセージに応答して、ポーリングされた装置のうちの１つ以上からＣＳＩフィードバックを受信するために実行可能である。
【００１３】
本開示のある態様は、命令を含むコンピュータ読み取り可能媒体を具備する、ワイヤレス通信のためのコンピュータプログラムプロダクトを提供する。命令は、チャネル状態情報（ＣＳＩ）を更新する必要があるか否かを決定するために実行可能であり、装置からポーリングメッセージを受信するために実行可能であり、ＣＳＩを更新する必要があることを決定した場合、ポーリングメッセージに応答して、ＣＳＩフィードバックを装置に送信するために実行可能である。
【００１４】
ある態様は、ワイヤレス通信のためのアクセスポイントを提供する。アクセスポイントは、一般的に、複数のアンテナと、チャネル状態情報（ＣＳＩ）フィードバックのために複数の装置のそれぞれをポーリングするための別個のポーリングメッセージを、複数のアンテナを通して送信するように構成されている送信機と、ポーリングメッセージに応答して、ポーリングされた装置のうちの１つ以上からＣＳＩフィードバックを受信するように構成されている受信機とを備える。
【００１５】
ある態様は、ワイヤレス通信のための局を提供する。局は、一般的に、少なくとも１本のアンテナと、チャネル状態情報（ＣＳＩ）を更新する必要があるか否かを決定するように構成されている回路と、少なくとも１本のアンテナを通して、装置からポーリングメッセージを受信するように構成されている受信機と、ＣＳＩを更新する必要があることを決定した場合、ポーリングメッセージに応答して、ＣＳＩフィードバックを装置に送信するように構成されている送信機とを備える。
【図面の簡単な説明】
【００１６】
本開示の上記に記載した特徴を詳細に理解できるように、上記で簡潔に要約したより特定した説明が、態様に対する参照により態様の参照により得られる。この態様のうちのいくつかは、添付した図面で図示した。しかしながら、添付した図面は、本開示のある典型的な態様のみを図示しており、それゆえ、その範囲を限定するものとして考えられるものではなく、説明のために、他の同等に効果的な態様を認めてもよいことに留意すべきである。
【図１】図１は、本開示のある態様にしたがった、ワイヤレス通信ネットワークの図を図示している。
【図２】図２は、本開示のある態様にしたがった、例示的なアクセスポイントおよびユーザ端末のブロック図を図示している。
【図３】図３は、本開示のある態様にしたがった、例示的なワイヤレスデバイスのブロック図を図示している。
【図４】図４は、本開示のある態様にしたがった、ヘテロジニアスチャネル状態情報（ＣＳＩ）フィードバックのための、２ステップのメディアアクセス制御（ＭＡＣ）プロトコルを図示している。
【図５】図５は、本開示のある態様にしたがった、ヘテロジニアスＣＳＩフィードバックによる２ステップのＭＡＣプロトコルに対して、アクセスポイントによって実行され得る例示的な動作を図示している。
【図５Ａ】図５Ａは、図５中に示されている動作を実行することができる例示的なコンポーネントを図示している。
【図６】図６は、本開示のある態様にしたがった、ヘテロジニアスＣＳＩフィードバックによる２ステップのＭＡＣプロトコルに対して、局によって実行され得る例示的な動作を図示している。
【図６Ａ】図６Ａは、図６中に示されている動作を実行することができる例示的なコンポーネントを図示している。
【図７】図７は、本開示のある態様にしたがった、決定論的バックオフタイマーに基づくヘテロジニアスＣＳＩフィードバックによるＭＡＣプロトコルを図示している。
【図８】図８は、本開示のある態様にしたがった、決定論的バックオフタイマーに基づくヘテロジニアスＣＳＩフィードバックによるＭＡＣプロトコルに対して、アクセスポイントによって実行され得る例示的な動作を図示している。
【図８Ａ】図８Ａは、図８中に示されている動作を実行できる例示的なコンポーネントを図示している。
【図９】図９は、本開示のある態様にしたがった、決定論的バックオフタイマーに基づくヘテロジニアスＣＳＩフィードバックによるＭＡＣプロトコルに対して、局によって実行され得る例示的な動作を図示している。
【図９Ａ】図９Ａは、図９中に示されている動作を実行することができる例示的なコンポーネントを図示している。
【図１０】図１０は、本開示のある態様にしたがった、局のポーリングに基づくヘテロジニアスＣＳＩフィードバックによるＭＡＣプロトコルを図示している。
【図１１】図１１は、本開示のある態様にしたがった、局のポーリングに基づくヘテロジニアスＣＳＩフィードバックによるＭＡＣプロトコルに対して、アクセスポイントによって動作され得る例示的な動作を図示している。
【図１１Ａ】図１１Ａは、図１１中に示されている動作を実行することができる例示的なコンポーネントを図示している。
【図１２】図１２は、本開示のある態様にしたがった、局のポーリングに基づくヘテロジニアスＣＳＩフィードバックによるＭＡＣプロトコルに対して、局によって実行され得る例示的な動作を図示している。
【図１２Ａ】図１２Ａは、図１２中に示されている動作を実行することができる例示的なコンポーネントを図示している。
【図１３】図１３は、本開示のある態様にしたがった、ヘテロジニアスＣＳＩフィードバックによるＭＡＣプロトコルに対して、アクセスポイントによって実行され得る例示的な動作を図示している。
【図１３Ａ】図１３Ａは、図１３中に示されている動作を実行することができる例示的なコンポーネントを図示している。
【図１４】図１４は、本開示のある態様にしたがった、ヘテロジニアスＣＳＩフィードバックによるＭＡＣプロトコルに対して、局によって実行され得る例示的な動作を図示している。
【図１４Ａ】図１４Ａは、図１４中に示されている動作を実行することができる例示的なコンポーネントを図示している。
【詳細な説明】
【００１７】
本開示のさまざまな態様のいくつかの態様を以下で記述する。ここでの教示は、幅広いさまざまな形態で具現化してもよいこと、および、ここで開示している任意の特定の構成、機能、または双方のものは、単なる代表例であることは明らかである。ここでの教示に基づいて、ここで開示した態様は、他の何らかの態様とは無関係に実現してもよいことを、そして、これらの態様のうちの２つ以上のものはさまざまな方法で組み合わせてもよいことを、当業者は正しく認識すべきである。例えば、ここで述べた任意の数の態様を使用して、装置を実現しても、または、方法を実施してもよい。加えて、ここで述べた態様のうちの１つ以上に加えて、または、これ以外の構成および機能性を、あるいは、他の構成、機能性を使用して、このような装置を実現してもよく、または、このような方法を実施してもよい。さらに、態様は、請求項の少なくとも１つの要素を含んでいてもよい。
【００１８】
「例として、事例として、あるいは例示として役割を果たすこと」を意味するために、ここでは「例示的な」という文言を使用する。「例示的な」ものとして、ここで記述するあらゆる態様は、他の態様と比較して、必ずしも、好ましいものとして、または、有利なものものとして解釈すべきではない。また、ここで使用するような「レガシー局」という用語は、一般的に、８０２．１１ｎをサポートするワイヤレスネットワークノードのことを、または、電気電子技術者協会（ＩＥＥＥ）８０２．１１標準規格の旧バージョンのことを意味する。
【００１９】
ここで記述するマルチアンテナ送信技術は、コード分割多元接続（ＣＤＭＡ）、直交周波数分割多重化（ＯＦＤＭ）、時分割多元接続（ＴＤＭＡ）、空間分割多元接続（ＳＤＭＡ）等のようなさまざまなワイヤレス技術と組み合わせて使用してもよい。マルチユーザ端末は、異なる（１）ＣＤＭＡの場合には直交コードチャネル、（２）ＴＤＭＡの場合にはタイムスロット、または（３）ＯＦＤＭの場合にはサブバンドを通して、並行してデータを送信／受信することができる。ＣＤＭＡシステムは、ＩＳ−２０００、ＩＳ−９５、ＩＳ−８５６、ワイドバンド−ＣＤＭＡ（Ｗ−ＣＤＭＡ）、または他の何らかの標準規格を実現してもよい。ＯＦＤＭシステムは、ＩＥＥＥ８０２．１１標準規格または他の何らかの標準規格を実現してもよい。ＴＤＭＡシステムは、ＧＳＭ（登録商標)または他の何らかの標準規格を実現してもよい。これらのさまざまな標準規格は、技術的に知られている。
【００２０】
例示的なＭＩＭＯシステム
図１は、アクセスポイントとユーザ端末とによる多元接続ＭＩＭＯシステム１００を図示している。簡単にするために、図１中では、１つだけのアクセスポイント１１０を示している。アクセスポイント（ＡＰ）は、一般的に、ユーザ端末と通信する固定局であり、このアクセスポイント（ＡＰ）を、基地局とも呼ぶことがあり、または、他の何らかの専門用語でも呼ぶことがある。ユーザ端末は固定されたものであっても、または、移動性のものであってもよく、また、このユーザ端末を、移動局、局（ＳＴＡ）、クライアント、ワイヤレスデバイスとも呼ぶことがあり、または、他の何らかの専門用語でも呼ぶことがある。ユーザ端末は、セルラ電話機のようなワイヤレスデバイス、パーソナルデジタルアシスタント（ＰＤＡ）、ハンドヘルドデバイス、ワイヤレスモデム、ラップトップコンピュータ、パーソナルコンピュータ等であってもよい。
【００２１】
アクセスポイント１１０は、ダウンリンクおよびアップリンク上で、任意の所定のときに、１つ以上のユーザ端末１２０と通信してもよい。ダウンリンク（すなわち、フォワードリンク）は、アクセスポイントからユーザ端末への通信リンクであり、アップリンク（すなわち、リーバースリンク）は、ユーザ端末からアクセスポイントへの通信リンクである。ユーザ端末はまた、別のユーザ端末とピアツーピア通信することがある。システム制御装置１３０は、アクセスポイントに結合しており、アクセスポイントに調整および制御を提供する。
【００２２】
システム１００は、ダウンリンクおよびアップリンク上でのデータ送信のために、複数の送信アンテナおよび複数の受信アンテナを用いる。アクセスポイント１１０には、Ｎapの数のアンテナが備えられおり、ダウンリンク送信のための複数入力（ＭＩ）と、アップリンク送信のための複数出力（ＭＯ）とを表している。選択されたユーザ端末１２０のセットＮuは、集合的に、ダウンリンク送信のための複数出力と、アップリンク（ＵＬ）送信のための複数入力とを表している。あるケースでは、Ｎu個のユーザ端末に対するデータシンボルストリームが、何らかの手段によって、コード、周波数、または時間で多重化されない場合に、Ｎap≧Ｎu≧１を有することが好ましいかもしれない。ＣＤＭＡに対して異なるコードチャネルや、ＯＦＤＭに対して互いに素なセットのサブバンド等を使用して、データシンボルストリームを多重化することができる場合、Ｎuは、Ｎapよりも大きいことがある。それぞれの選択されたユーザ端末が、ユーザ特有のデータをアクセスポイントに送信する、および／または、アクセスポイントからユーザ特有のデータを受信する。一般的に、それぞれの選択されたユーザ端末には、１本のアンテナまたは複数のアンテナ（すなわち、Ｎut≧１）が備えられていてもよい。Ｎu個の選択されたユーザ端末は、同じ数のアンテナまたは異なる数のアンテナを有することができる。
【００２３】
ＭＩＭＯシステム１００は、時分割デュプレックス（ＴＤＤ）システム、または、周波数分割デュプレックス（ＦＤＤ）システムであってもよい。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００は、送信のために、単一の搬送波または複数の搬送波も利用してもよい。それぞれのユーザ端末には、（例えば、コストを低く抑えるために）単一のアンテナが備えられていてもよく、または、（例えば、追加コストをサポートすることができる）複数のアンテナが備えられていてもよい。
【００２４】
図２は、ＭＩＭＯシステム１００中の、アクセスポイント１１０と、２つのユーザ端末１２０ｍおよび１２０ｘとのブロック図を示している。アクセスポイント１１０には、Ｎap本のアンテナ２２４ａないし２２４ａｐが備えられている。ユーザ端末１２０ｍには、Ｎut, m本のアンテナ２５２ｍａないし２５２ｍｕが備えられており、ユーザ端末１２０ｘには、Ｎut, x本のアンテナ２５２ｘａないし２５２ｘｕが備えられている。アクセスポイント１１０は、ダウンリンクのための送信エンティティであり、アップリンクのための受信エンティティである。それぞれのユーザ端末１２０は、アップリンクのための送信エンティティであり、ダウンリンクのための受信エンティティである。ここで使用したような、「送信エンティティ」は、周波数チャネルを通してデータを送信できる、独立して動作される装置またはデバイスであり、そして、「受信エンティティ」は、周波数チャネルを通してデータを受信できる、独立して動作される装置またはデバイスである。以下の記述では、下付き文字「ｄｎ」は、ダウンリンクを示しており、下付き文字「ｕｐ」は、アップリンクを示しており、Ｎup個のユーザ端末が、アップリンク上での同時送信のために選択され、Ｎdn個のユーザ端末が、ダウンリンク上での同時送信のために選択され、Ｎupは、Ｎdnに等しくても、等しくなくてもよく、そして、ＮupおよびＮdnは、静的な値であってもよく、または、それぞれのスケジューリング間隔の間に変わることがある。アクセスポイントおよびユーザ端末において、ビームステアリングまたは他の何らかの空間処理技術を使用してもよい。
【００２５】
アップリンク上で、アップリンク送信のために選択されたそれぞれのユーザ端末１２０において、ＴＸデータプロセッサ２８８が、データソース２８６からトラフィックデータを受け取り、制御装置２８０からのデータを制御する。ＴＸデータプロセッサ２８８が、ユーザ端末に対して選択されたレートに関係するコーディング変調スキームに基づいて、ユーザ端末に対するトラフィックデータ｛ｄup, m｝を処理（例えば、エンコード、インターリーブ、および変調）して、データシンボルストリーム｛Ｓup, m｝を提供する。ＴＸ空間プロセッサ２９０が、データシンボルストリーム｛Ｓup, m｝上で空間処理を実行して、Ｎut, m個の送信シンボルストリームをＮut, m本のアンテナに提供する。それぞれの送信機ユニット（ＴＭＴＲ）２５４が、各送信シンボルストリームを受信して処理（例えば、アナログコンバート、増幅、フィルタリング、および周波数アップコンバート）し、アップリンク信号を発生させる。Ｎut, m本のアンテナ２５２からアクセスポイント１１０への送信のために、Ｎut, m個の送信機ユニット２５４が、Ｎut, m個のアップリンク信号を提供する。
【００２６】
アップリンク上での同時送信のために、Ｎup個の数のユーザ端末をスケジューリングしてもよい。これらのユーザ端末のそれぞれが、そのデータシンボルストリーム上で空間処理を実行し、アップリンク上で、送信シンボルストリームのそのセットをアクセスポイントに送信する。
【００２７】
アクセスポイント１１０では、Ｎap本のアンテナ２２４ａないし２２４ａｐが、すべてのＮup個のユーザ端末から、アップリンク上で送信するアップリンク信号を受信する。それぞれのアンテナ２２４が、受信信号を各受信機ユニット（ＲＣＶＲ）２２２に提供する。それぞれの受信機ユニット２２２が、送信機ユニット２５４によって実行された処理に相補的である処理を実行し、受信シンボルストリームを提供する。ＲＸ空間プロセッサ２４０が、Ｎap個の受信機ユニット２２２からのＮap個の受信シンボルストリーム上で受信機の空間処理を実行し、Ｎup個の復元したアップリンクデータシンボルストリームを提供する。受信機の空間処理は、チャネル相関行列反転（ＣＣＭＩ）、最小平均二乗誤差（ＭＭＳＥ）、連続的な干渉消去（ＳＩＣ）、または他の何らかの技術にしたがって実行される。それぞれの復元されたアップリンクデータシンボルストリーム｛Ｓup, m｝は、各ユーザ端末によって送信されるデータシンボルストリーム｛Ｓup, m｝の推定値である。ＲＸデータプロセッサ２４２は、そのストリームに対して使用されるレートにしたがって、それぞれの復元されたアップリンクデータシンボルストリーム｛Ｓup, m｝を処理（例えば、復調、デインターリーブ、およびデコード）して、デコードしたデータを取得する。それぞれのユーザ端末に対するデコードしたデータは、記憶のためにデータシンク２４４に提供されてもよく、および／または、さらなる処理のために制御装置２３０に提供されてもよい。
【００２８】
ダウンリンク上で、アクセスポイント１１０では、ＴＸデータプロセッサ２１０が、ダウンリンク送信のためにスケジューリングされたＮdn個のユーザ端末に対するトラフィックデータをデータソース２０８から受信し、制御装置２３０からのデータを制御し、場合によっては、スケジューラ２３４からの他のデータを制御する。さまざまなタイプのデータが、異なる伝送チャネル上で送られてもよい。ＴＸデータプロセッサ２１０は、そのユーザ端末に対して選択されたレートに基づいて、それぞれのユーザ端末に対するトラフィックデータを処理（例えば、エンコード、インターリーブ、および変調）する。ＴＸデータプロセッサ２１０は、Ｎdn個のユーザ端末に対するＮdn個のダウンリンクデータシンボルストリームを提供する。ＴＸ空間プロセッサ２２０は、Ｎdn個のダウンリンクデータシンボルストリーム上で空間処理を実行し、Ｎap個の送信シンボルストリームをＮap本のアンテナに提供する。それぞれの送信機ユニット（ＴＭＴＲ）２２２は、各送信シンボルストリームを受信して処理し、ダウンリンク信号を発生させる。Ｎap個の送信機ユニット２２２は、Ｎap本のアンテナ２２４からユーザ端末への送信のためにＮap個のダウンリンク信号を提供する。
【００２９】
それぞれのユーザ端末１２０では、Ｎut, m本のアンテナ２５２が、アクセスポイント１１０からＮap個のダウンリンク信号を受信する。それぞれの受信機ユニット（ＲＣＶＲ）２５４が、関係するアンテナ２５２からの受信信号を処理して、受信したシンボルストリームを提供する。ＲＸ空間プロセッサ２６０が、Ｎut, m個の受信機ユニット２５４からのＮut, m個の受信したシンボルストリーム上で受信機の空間処理を実行し、復元したダウンリンクデータシンボルストリーム｛Ｓdn, m｝をユーザ端末に提供する。受信機空間処理は、ＣＣＭＩ、ＭＭＳＥ、または他の何らかの技術にしたがって実行される。ＲＸデータプロセッサ２７０が、復元されたダウンリンクデータシンボルストリームを処理（例えば、復調、デインターリーブ、およびデコード）して、ユーザ端末に対するデコードしたデータを取得する。
【００３０】
図３は、システム１００内で用いるワイヤレスデバイス３０２中で利用され得る、さまざまなコンポーネントを図示している。ワイヤレスデバイス３０２は、ここで記述したさまざまな方法を実現するように構成され得るデバイスの例である。ワイヤレスデバイス３０２は、アクセスポイント１１０またはユーザ端末１２０であってもよい。
【００３１】
ワイヤレスデバイス３０２は、ワイヤレスデバイス３０２の動作を制御するプロセッサ３０４を備えていてもよい。プロセッサ３０４を、中央処理ユニット（ＣＰＵ）とも呼ぶことがある。メモリ３０６は、リードオンリーメモリ（ＲＯＭ）およびランダムアクセスメモリ（ＲＡＭ）の双方とも含んでいてもよく、命令およびデータをプロセッサ３０４に提供する。メモリ３０６の一部分はまた、不揮発性ランダムアクセスメモリ（ＮＶＲＡＭ）を含んでいてもよい。プロセッサ３０４は、典型的に、メモリ３０６内に記憶されているプログラム命令に基づいて、論理演算および算術演算を実行する。メモリ３０６中の命令は、ここで記述する方法を実現するために実行可能であってもよい。
【００３２】
ワイヤレスデバイス３０２は、ハウジング３０８も備えていてもよく、このハウジング３０８は、ワイヤレスデバイス３０２と遠隔位置との間でのデータの送信および受信を可能にする送信機３１０と受信機３１２とを含んでいてもよい。送信機３１０および受信機３１２を組み合わせて、トランシーバ３１４にしてもよい。複数の送信アンテナ３１６を、ハウジング３０８に取り付けてもよく、トランシーバ３１４に電気的に結合させてもよい。ワイヤレスデバイス３０２はまた、（示してない）複数の送信機や、複数の受信機や、複数のトランシーバを備えていてもよい。
【００３３】
ワイヤレスデバイス３０２はまた、信号検出器３１８を備えていてもよく、この信号検出器３１８は、トランシーバ３１４により受信した信号のレベルを検出して定量化するために使用してもよい。信号検出器３１８は、総エネルギーや、シンボルあたりの副搬送波あたりのエネルギーや、電力スペクトル密度や、他の信号として、このような信号を検出してもよい。ワイヤレスデバイス３０２はまた、信号を処理する際に使用するための、デジタル信号プロセッサ（ＤＳＰ）３２０も備えていてもよい。
【００３４】
ワイヤレスデバイス３０２のさまざまなコンポーネントは、バスシステム３２２によって共に結合させてもよく、このバスシステム３２２は、データバスに加えて、電力バスや、制御信号バスや、ステータス信号バスを含んでいてもよい。
【００３５】
一般的に、ＳＤＭＡや、ＯＦＤＭＡや、ＣＤＭＡや、ＳＤＭＡや、これらを組み合わせたもののような、任意のタイプの多元接続スキームを利用しているシステムで、ここで記述した技術を適用してもよいことを当業者は認識するだろう。
【００３６】
マルチユーザ通信システムにおいて、適応局依存のチャネル状態情報フィードバックレートをサポートするためのプロトコル
本開示のある態様は、ダウンリンクＳＤＭＡシステムにおいて、１つ以上のユーザ依存のチャネル状態情報（ＣＳＩ）フィードバックレートをサポートする方法を提供する。ある態様では、アクセスポイント（ＡＰ）が、１つ以上の局からチャネル進化フィードバックを受信し、ＣＳＩ値を更新する必要がある局に、ＣＳＩに対する要求を送ってもよい。ある態様では、ＡＰが、更新されたＣＳＩ値について、その局をポーリングしてもよい。ある態様では、局のＣＳＩフィードバックを送るときを示している決定論的バックオフタイマーを、局に割り当ててもよい。提案する方法が、システム性能を改善させることができる。
【００３７】
ダウンリンクのマルチユーザＭＩＭＯ（ＭＵ−ＭＩＭＯ）またはＳＤＭＡを利用するシステムは、ＡＰにおけるアンテナアレイからの送信ビーム形成によって、複数の空間的に分離された局を同時に担当してもよい。ＡＰは、局のそれぞれから受信したチャネル状態情報に基づいて、複素送信プリコーディグ重みを計算してもよい。
【００３８】
その環境において対象物が移動することによって動く局のモビリティまたはモードにより、時間とともにチャネルが変わるので、ＡＰがそれぞれの局に対して正確にビーム形成するために、ＣＳＩは周期的に更新すべきである。それぞれの局に対するＣＳＩフィードバックの要求されるレートは、ＡＰとその局との間のチャネルのコヒーレンス時間に依存していてもよい。不十分なフィードバックレートは、不正確なビーム形成が原因で性能に悪影響を与えるかもしれない。一方、過度のフィードバックレートは、もたらす付加的な利益は最小限でありながら、貴重な媒体時間（medium time）を浪費させるかもしれない。
【００３９】
複数の空間的に分離された局からなるシナリオでは、チャネルコヒーレンス時間が、ゆえに適切なＣＳＩフィードバックレートが、局にわたって空間的に変わることが予想され得る。加えて、局の、チャネル条件およびモビリティを変えるようなさまざまなファクターにより、局のそれぞれに対する適切なＣＳＩフィードバックレートが、一時的に変わることもある。
【００４０】
例えば、高解像度テレビジョン（ＨＤＴＶ）またはセットトップボックスのようないくつかの局が動かない一方で、ハンドヘルドデバイスのような他の局は、動く傾向がある。さらには、局のサブセットは、蛍光灯の影響により高いドップラーを受けることがある。最後に、異なる散在物が、異なる速度で動き、局の異なるサブセットに影響を与えることがあるので、いくつかの局へのマルチパスは、他のものよりも、より大きいドップラーを有するかもしれない。
【００４１】
したがって、ＣＳＩフィードバックの単一のレートがすべての局に対して使用される場合、不十分なフィードバックレートでの、局に対する不正確なビームフォーミングが、および／または、不必要に高いフィードバックレートでの、局に対する過度なフィードバックオーバーヘッドが原因で、システム性能が悪化することがある。
【００４２】
従来のスキームでは、モビリティまたは一時的なチャネル変動の点で最悪なケースの局と一致するレートで、ＣＳＩフィードバックが行われることがある。しかしながら、さまざまなチャネル条件を経験する局からなるＳＤＭＡシステムでは、単一のＣＳＩフィードバックレートは、すべての局に適切でないかもしれない。最悪のケースの局の要求に応えることは、高い動的チャネルのレートと同じレートでＣＳＩ値をフィードバックすることを、相対的に静的なチャネル条件を経験する局に強いることによって、結果として、チャネルリソースの不必要な浪費となるかもしれない。
【００４３】
例えば、ＣＤＭＡ２０００標準規格では、Evolution-Data Optimized（ＥＶ−ＤＯ）データレート制御チャネル（ＤＲＣ）において、チャネル状態情報が、受信パイロットの信号対雑音干渉比（ＳＩＮＲ）を反映する。加えて、次の送信のためのレート選択を促進するために、チャネル状態情報が、局によって送られる。この情報は、おそらく最悪ケースの予想されるモビリティ状況に関係するチャネル変動を追跡するのに十分なレートで、すべての局に対して固定のレートで更新される。チャネル状態フィードバックのこのレートは、静的な局に対して不必要に高い可能性がある。最小限のオーバーヘッドを提供するようにＤＲＣが設計されたことに留意すべきである。ＳＤＭＡシステムにおけるＣＳＩは、ＡＰでビームフォーミングをサポートするために使用されるので、ＣＳＩフィードバックを、ＥＶ−ＤＯ設計で達成される程度に圧縮または簡素化することは実現不可能であるかもしれない。
【００４４】
第２の例として、ＩＥＥＥ８０２．１１ｎ標準規格は、送信ビームフォーミングをサポートしており、ＣＳＩフィードバックを送るべきであるレートを特定していない。したがって、ＣＳＩフィードバックレートは、インプリメンテーションファクターと考えられるかもしれない。対照的に、ＩＥＥＥ８０２．１１ａｃ標準規格における複数のＳＤＭＡ局に対するＣＳＩフィードバックの潜在的に高いオーバーヘッド、および、はぐれている局によるこのようなＣＳＩフィードバックメカニズムの濫用に対する潜在性のため、標準規格仕様におけるこれらのプロトコルを特定する必要があるかもしれない。
【００４５】
上述したように、特定の局に対するＣＳＩフィードバックの適切なレートは、その局の信号対ノイズ比（ＳＮＲ）条件に依存していてもよい。ある態様では、より低いＳＮＲ値、それゆえに、より低いダウンリンクの変調およびコーディングスキーム（ＭＣＳ）レベルを持つ局は、より低いＣＳＩフィードバックレートに向けてバイアスがかけられることがある。低いＭＣＳ／ＳＮＲ局について、古いＣＳＩに基づくプリコーディングによるスループットのペナルティは、高いＭＣＳ／ＳＮＲ局に対するペナルティよりも小さいかもしれない。加えて、（例えば、低いデータレートを持つ）低いＭＣＳを持つ局によってＣＳＩを通信するのに要求されるアップリンクリソースは、高いＳＮＲ条件を経験する局によって要求されるリソースよりも大きいかもしれない。したがって、ある態様では、低いＳＮＲ局は、ダウンリンクのマルチユーザ（ＭＵ）−ＭＩＭＯから完全に排除されることがある。
【００４６】
本開示のある態様は、ユーザ依存および時間依存のＣＳＩフィードバック送信を可能にするメディアアクセス制御（ＭＡＣ）レイヤプロトコルを提案する。提案したＭＡＣレイヤプロトコルでは、マルチユーザＭＩＭＯシステムにおけるそれぞれの局が、そのチャネル条件に適切なレートでＣＳＩを送る。提案したプロトコルは、ネットワークスループットおよびチャネル効率の実質的な改善を導くことができる。
【００４７】
図４は、本開示のある態様にしたがった、ヘテロジニアスＣＳＩフィードバックによる２ステップのＭＡＣプロトコルを図示している。第１のステップにおいて、アクセスポイントが、１つ以上の局からチャネル進化フィードバック（ＣＥＦＢ、４０６）を要求してもよい。第２のステップにおいて、ＡＰは、局のサブセットからＣＳＩフィードバック４１０を要求してもよい。それぞれの局のチャネル進化の程度、それぞれの局のＳＮＲまたはＭＣＳ値、および、次のＳＤＭＡ送信において全体的に予想される干渉レベルに基づいて、ＡＰは、局のサブセットからフィードバックを要求することを決めてもよい。提案した方法は、アップリンクＳＤＭＡを活用することによって、フィードバックのオーバーヘッドの大幅な減少を可能にすることができる。
【００４８】
ある態様では、図４中で図示されているトランザクションは、トレーニング要求メッセージ（ＴＲＭ）４０２を使用して、ＡＰによって開始されてもよい。レガシーＩＥＥＥ８０２．１ｌａ／ｇ局によってデコード可能なフォーマットで、最低のサポートされているレートを使用して、ＴＲＭメッセージを送信してもよい。ＴＲＭメッセージは、２つの目的に役立つ場合がある。第１に、ＴＲＭは、すべての局または局のサブセットからチャネル進化データを要求するために利用されてもよい。例えば、局のサブセットは、間近にせまったダウンリンクＳＤＭＡ送信に対する候補であってもよい。第２に、ＴＲＭメッセージは、チャネル進化フィードバック送信を保護するために使用されてもよい。例えば、非参加局のネットワーク・アロケーション・ベクトル（network allocation vector：ＮＡＶ）を適切に設定して干渉を最小にするために、すべての非参加局によって、ＴＲＭメッセージの持続期間フィールド中の情報が使用されてもよい。
【００４９】
ＴＲＭメッセージのペイロードは、チャネル進化に対する要求（すなわち、チャネル状態情報要求）を示すためのビットを含んでいてもよい。ショート・インターフレーム・スペース（short interframe space：ＳＩＦＳ）間隔に続いて、ＡＰは、ベリー・ハイ・スループット（very high throughput：ＶＨＴ）プリアンブルを含むヌル・データ・パケット（Null Data Packet：ＮＤＰ）４０４を局に送信してもよい。ダウンリンクチャネルサウンディングのために、ＮＤＰメッセージが使用されてもよい。ＴＲＭとは異なり、ＮＤＰメッセージは、レガシー局によってデコード可能でないかもしれない。それぞれの局は、ＴＲＭメッセージとＮＤＰメッセージとの組み合わせに、ＣＥＦＢメッセージ４０６により応答してもよく、このＣＥＦＢメッセージ４０６は、最も最近のＣＳＩが送られてからのチャネルエイジングの程度を示している１つのメトリックまたは複数のメトリックを含んでいてもよい。
【００５０】
ＡＰは、それぞれの局から受信したメトリックとともに、ＳＤＭＡ局の総数、それらのＭＣＳ、および、第２のＴＲＭメッセージ４０８を送るための送信電力のような他のネットワークステータスパラメータを使用してもよい。ＣＳＩを更新する必要がある局のサブセットからのチャネルフィードバックを要求するために、第２のＴＲＭメッセージ４０８を使用してもよい。このＴＲＭメッセージは、それぞれの局が、そのＣＳＩフィードバックメッセージを送ることになるＭＣＳも特定してもよい。第２のＴＲＭメッセージを受信した後、局は、局のＣＳＩフィードバックメッセージにより応答してもよい。レガシー局を含む非参加局によって引き起こされる干渉から、ＣＳＩフィードバック送信の全体の持続期間を保護するために、第２のＴＲＭメッセージ４０８の持続期間フィールドを設定してもよい。
【００５１】
ＡＰは、受信したＣＳＩフィードバックに基づいて、そのプリコーディング重みを更新し、ダウンリンクＳＤＭＡデータ４１２を局に送信してもよい。ある態様では、ダウンリンクＳＤＭＡデータ送信は、送信可（ＣＴＳ）−ｔｏ−Ｓｅｌｆメッセージによって保護することができる。ＳＤＭＡデータ送信より前にＣＴＳ−ｔｏ−ｓｅｌｆメッセージを送信して、データ送信のための媒体を予約してもよい。ＣＴＳメッセージはまた、第２のＴＲＭメッセージ４０８中の持続期間フィールドによって保護されてもよい。
【００５２】
システムがアップリンクＳＤＭＡ（ＵＬ−ＳＤＭＡ）をサポートしている場合、すべての局からのＵＬ−ＳＤＭＡを利用しての、ＣＥＦＢメッセージまたはＣＳＩメッセージの同時送信は、図４中で図示されている提案したプロトコルの最も効率的なインプリメンテーションであるかもしれない。しかしながら、ＵＬ−ＳＤＭＡのないときには、ＣＥＦＢメッセージおよびＣＳＩメッセージは、時分割多元接続（ＴＤＭＡ）または直交周波数分割多元接続（ＯＦＤＭＡ）によってシリアルに送信されてもよい。
【００５３】
図５は、本開示のある態様にしたがった、ヘテロジニアスＣＳＩフィードバックによる２ステップのＭＡＣプロトコルに対して、アクセスポイントによって実行され得る例示的な動作５００を図示している。５０２において、アクセスポイントが、複数の装置（例えば、局）からのチャネル進化フィードバックを要求するための第１の要求メッセージを送信してもよく、このチャネル進化フィードバックは、最も最近のＣＳＩ更新のときからの、チャネルエイジングの程度を示している。５０４において、アクセスポイントは、装置からチャネル進化フィードバックを受信してもよい。
【００５４】
５０６において、アクセスポイントは、チャネル進化フィードバックに少なくとも部分的に基づいて、装置のＣＳＩフィードバックを更新すべきである装置のサブセットを決定してもよい。５０８において、アクセスポイントは、ＣＳＩフィードバックを要求する第２の要求メッセージを、装置のサブセットに送信してもよい。ある態様では、第１の要求メッセージまたは第２の要求メッセージは、ヌルデータパケット（ＮＤＰ）アナウンスフレームであってもよい。
【００５５】
ある態様では、ＣＳＩフィードバック４１０は、現在の推定されたチャネルの表現を、または、以前に受信されたＣＳＩフィードバックが送信されてからの推定されたチャネルの相対的変化の表現を、含んでいてもよい。ある態様では、第１の要求メッセージ４０２は、アクセスポイントによってサポートされている、ＣＳＩフィードバックのタイプを示していてもよい。例えば、第１の要求メッセージは、ＣＳＩフィードバックに対する差分更新がアクセスポイントによってサポートされるか否かを示していてもよい。ある態様では、ＣＳＩフィードバックのタイプは、マルチユーザ（ＭＵ）または単一ユーザ（ＳＵ）であってもよい。
【００５６】
ある態様では、ＡＰは、新しいＣＳＩフィードバックを送信すべきである局のサブセットを決定するために、局のサブセットにおける、チャネル進化のレートまたはドップラーを決定してもよい。ある態様では、ＡＰは、チャネル進化フィードバックと、以前に取得したチャネル進化フィードバックとを比較して、新しいＣＳＩフィードバックを送る必要がある局のサブセットを決定してもよい。
【００５７】
図６は、本開示のある態様にしたがった、ヘテロジニアスＣＳＩフィードバックによる２ステップのＭＡＣプロトコルに対して、局によって実行され得る例示的な動作６００を図示している。６０２において、局が、装置（例えば、アクセスポイント）から第１の要求メッセージを受信してもよく、この要求メッセージが、チャネル進化フィードバックを要求する。６０４において、局は、装置から受信した１つ以上の信号に基づいて、チャネル進化フィードバックを発生させてもよく、このチャネル進化フィードバックは、最も最近のチャネル状態情報（ＣＳＩ）のときからの、チャネルエイジングの程度を示している。６０６において、局は、第１の要求メッセージに応答して、チャネル進化フィードバックを装置に送信してもよい。
【００５８】
ある態様では、ＵＬ−ＳＤＭＡによってＣＳＩフィードバックが達成されない場合、すべての局がＣＳＩフィードバックを送ると仮定して、第２のＴＲＭメッセージ中に含まれている持続期間フィールドをＡＰによって計算してもよい。このメカニズムは、フィードバック送信に参加していない局からの送信が原因で生じる衝突から、ＣＥＦＢメッセージおよびＣＳＩメッセージを保護することができる。
【００５９】
ある態様では、ＡＰにおいてＣＳＩを要求する決定を集中化する「ソフト」チャネル進化メトリックを使用してもよい。ＡＰは、決定の際に、マルチユーザ干渉レベルおよびそれぞれの局のＭＣＳのような他のファクターも考慮してもよい。
【００６０】
図７は、本開示のある態様にしたがった、決定論的バックオフタイマーに基づくヘテロジニアスＣＳＩフィードバックによる代替的なＭＡＣプロトコルを図示している。図示されているように、単一のステップにおいて、ＣＳＩフィードバックメッセージを送信する決定を実行してもよい。加えて、局のそれぞれが、ＣＳＩフィードバックをＡＰに送信するか否かを決めてもよい。決定は、規定されているメトリックと予め定められた基準との少なくとも部分的に基づくとしてもよい。ＣＳＩフィードバックメッセージが送られた最後の時間からチャネルが変化したことを決定した局のみが、ＣＳＩフィードバックを送信することができる。結果として、ＣＳＩフィードバックのオーバーヘッドを減少させることができる。
【００６１】
図７中で図示されているプロトコルは、ＵＬ−ＳＤＭＡが利用可能でないエアインターフェースに、より適切であるかもしれない。提案したプロトコルでは、それぞれのＳＤＭＡ局が、ハードメトリックに類似した内部計算に基づいて、ＣＳＩフィードバックを送信するか否かを決めることができる。決定論的バックオフタイマーを活用することによって、シリアルＣＳＩ送信のタイミングを達成することができる。
【００６２】
ＡＰは、待ち状態のＤＬ−ＳＤＭＡ送信に指定されているそれらの局にアドレス割り当てされているＴＲＭメッセージを送信することによって図７中のトランザクションを開始してもよい。ＴＲＭメッセージは、それぞれの局に対する決定論的バックオフ割り当てを含んでいてもよい。図４に類似して、ＴＲＭメッセージの後に、サウンディングプリアンブルを提供するＮＤＰメッセージが続いてもよい。次に、ＡＰにおいてＣＳＩ更新が必要であることを局が決めた場合、それぞれの局は、ＣＳＩフィードバックで応答してもよい。ＣＳＩ更新を要求しないことを局が決めた場合、局は何も送信しなくてもよい。
【００６３】
異なる局によって送信されたＣＳＩフィードバックメッセージの衝突を最小にするために、それぞれの局は、決定論的バックオフタイマーを利用してもよい。それぞれの局は、そのバックオフタイマーが満了したときに送信のみするかもしれない。また、局が、別の局による送信を検出した場合、それぞれの局は、そのタイマーを休止するかもしれない。他の局がその送信を完了し、媒体を空にした後、タイマーは、カウントダウンを再開するかもしれない。非応答局により損失され得る時間の量を最小にするために、バックオフ値を選択してもよい。損失時間を減少させることは、すべてのＣＳＩフィードバックメッセージを受信するために要求される総時間の減少を助けることができる。
【００６４】
最後の局からのＣＳＩメッセージの受信に、または、最長のバックオフタイマーの満了に続いて、ＡＰは、プリコーディング重みを再計算し、ＤＬ−ＳＤＭＡ送信４１２を開始してもよい。図７中で図示されている例では、ＳＴＡ３は、ＣＳＩフィードバックメッセージを送信せず、ＳＴＡ４が、最小限の遅延の後に、ＣＳＩフィードバックメッセージの送信を開始する。
【００６５】
本開示のある態様では、要求メッセージが、サウンディングフレームまたはデータフレームを使用してＣＳＩを送る必要があるという指示を提供してもよい。
【００６６】
図８は、本開示のある態様にしたがった、決定論的バックオフタイマーに基づくヘテロジニアスＣＳＩフィードバックによるＭＡＣプロトコルに対して、アクセスポイントによって実行され得る例示的な動作８００を図示している。８０２において、アクセスポイントが、チャネル状態情報（ＣＳＩ）フィードバックを要求するための要求メッセージを複数の装置に送信し、この要求メッセージが、装置のＣＳＩフィードバックを送るときを示している決定論的バックオフタイマーの割り当てを装置のそれぞれに提供する。８０４において、アクセスポイントは、装置のうちの１つ以上から、バックオフタイマーの割り当てにしたがって送信されたＣＳＩフィードバックを受信する。
【００６７】
図９は、本開示のある態様にしたがった、決定論的バックオフタイマーに基づくヘテロジニアスＣＳＩフィードバックによるＭＡＣプロトコルに対して、局によって実行され得る例示的な動作９００を図示している。９０２において、局が、チャネル状態情報（ＣＳＩ）フィードバックを要求する要求メッセージを装置から受信し、この要求は、ＣＳＩフィードバックを送信するときを示している決定論的バックオフタイマーを含む。９０４において、局は、バックオフタイマーにしたがって、ＣＳＩフィードバックを送信する。
【００６８】
このプロトコルの１つの短所は、すべての局が、媒体を感知することによって他の局の送信を検出し得ることを、決定論的バックオフの概念が仮定していることである。しかしながら、隠れノードの存在の下、バックオフタイマーは、予想どおりに休止しないことがあり、潜在的に、ＣＳＩフィードバックデータの衝突に至る。
【００６９】
図１０は、本開示のある態様にしたがった、局のポーリングに基づくヘテロジニアスＣＳＩフィードバックによるＭＡＣプロトコルを図示している。このプロトコルは、隠れノード問題を回避するので、ポーリングプロトコルを利用することによって、異なる局からの送信の衝突を回避する。
【００７０】
図１０中で図示されているように、ＴＲＭメッセージおよびサウンディングＮＤＰメッセージの送信に続いて、ＣＳＩフィードバックのためにシーケンシャルにそれぞれの局をポーリングしてもよい。ＣＳＩ更新が必要であると局が決定した場合にＣＳＩフィードバックを送信することによって、局は、ポーリング１００２に応答してもよい。そうでなければ、局は、何も送信しなくてもよい。１タイムスロットの後にポーリングに対する応答をＡＰが検出しない場合、そのＡＰが、次の局をポーリングする。最後の局からのＣＳＩの受信に続いて、または、最後のポーリングされた局からの応答がないのに続いて、ＡＰが、プリコーディング重みを再計算してもよく、ＤＬ−ＳＤＭＡデータ送信を開始してもよい。図１０中で図示されている例では、ＳＴＡ３は、ＣＳＩフィードバックメッセージを送信しない。ある時間においてＡＰがＳＴＡ３からの応答を検出しないときには、ＡＰは、ＣＳＩフィードバックのためにＳＴＡ４をポーリングしてもよい。
【００７１】
図１１は、本開示のある態様にしたがった、ポーリングに基づくヘテロジニアスＣＳＩフィードバックによるＭＡＣプロトコルに対して、アクセスポイントによって実行され得る例示的な動作１１００を図示している。１１０２において、アクセスポイントが、チャネル状態情報（ＣＳＩ）フィードバックのために複数の装置（例えば、局）のそれぞれをポーリングするための別個のポーリングメッセージを送信する。１１０４において、ポーリングメッセージに応答して、アクセスポイントは、ポーリングされた装置のうちの１つ以上からＣＳＩフィードバックを受信する。
【００７２】
ある態様では、ポーリングメッセージの前には、ＮＤＰフレームが後続するＮＤＰアナウンスフレームが先行してもよい。ある態様では、ゆっくりと進化するチャネルで局に送信されるポーリングメッセージは、より早く進化するチャネルで局に送信されるポーリングメッセージと比較して頻度が低いかもしれない。
【００７３】
図１２は、本開示のある態様にしたがった、ポーリングに基づくヘテロジニアスＣＳＩフィードバックによるＭＡＣプロトコルに対して、局によって実行され得る例示的な動作１２００を図示している。１２０２において、局が、チャネル状態情報（ＣＳＩ）を更新する必要があるか否かを決定する。１２０４において、局は、装置（例えば、アクセスポイント）からポーリングメッセージを受信する。１２０６において、局は、ＣＳＩを更新する必要があることを決定した場合、ポーリングメッセージに応答して、ＣＳＩフィードバックを装置に送信する。
【００７４】
ある態様では、局は、アクセスポイントから受信した信号に基づいてＣＳＩ値を計算してもよい。局は、ＣＳＩ値と、ＡＰに送信された最も最近のＣＳＩ更新とを比較してもよい。ＣＳＩ値と最も最近のＣＳＩ値との間の差が、しきい値に等しい場合、または、しきい値よりも大きい場合、局は、ＣＳＩを更新することを決めてもよい。
【００７５】
本開示のある態様では、ＴＲＭメッセージは、レガシーデバイス（すなわち、ＤＬ−ＳＤＭＡをサポートしない局）によってデコード可能であるフォーマットを有していてもよい。したがって、ＴＲＭメッセージは、すべての局によって、レガシー局でさえ、デコードされるとしてもよい。局のいくつかが、局のＮＡＶを適切に設定することによって局の送信を延期するように、ＴＲＭメッセージが、持続期間フィールドを伝えてもよい。局の送信を延期する局は、やがて現れるＤＬ−ＳＤＭＡ送信に参加していない局、または、ＳＤＭＡの能力がない局であるかもしれない。
【００７６】
ある態様では、局のすべてがＣＳＩメッセージをフィードバックするかもしれないと仮定して、ＴＲＭメッセージ中に含まれている持続期間フィールドをＡＰによって計算してもよい。フィードバック送信に参加していない局の送信が原因で生じる衝突から、サウンディングＮＤＰおよびＣＳＩメッセージを保護するために、ＴＲＭメッセージの持続期間フィールドを使用してもよい。
【００７７】
本開示は、アップリンクＳＤＭＡがサポートされた場合に、ＣＳＩフィードバックオーバーヘッドを減少させるためのプロトコルを提案した。ある態様は、ＵＬ−ＳＤＭＡがサポートされていない場合にフィードバックオーバーヘッドも減少させることができる。文書中で記述したように、やがて現れるフィードバック送信について、レガシー局に、または、任意の特定のＳＤＭＡ送信に参加していない他の局に報知することによって、チャネル進化およびＣＳＩフィードバックをデータ衝突から保護することができる。
【００７８】
ＣＳＩ報告オプション
上述したように、本開示のある態様は、複数の局からＣＳＩをＡＰが受信することを可能にする。ＣＳＩ情報は、チャネル進化の程度に基づいて、送られることができる。
【００７９】
ある態様にしたがうと、ＡＰが、サウンディングメッセージのような要求メッセージを局のセットに送信してもよく、これにより、局がチャネルを推定することが可能になる。ある態様にしたがうと、要求メッセージは、ＡＰが受け入れることができるかもしれない一種のＣＳＩ報告の指示を含んでいてもよい。例として、差分ＣＳＩ更新をサポートするために、ＡＰは、以前のＣＳＩ報告を記憶するように要求されるかもしれないが、ＡＰの中には、記憶することができないものもあってもよい。
【００８０】
いずれのケースにおいても、それぞれの局は、メッセージに基づいてチャネルを推定してもよい。それぞれの局は、推定されたチャネルと、メモリ中に記憶されている以前に推定されたチャネルとの間の差を計算してもよい。それぞれの局は、この差に基づいてメトリックも計算してもよい。それぞれの局は、計算したメトリックに基づくメッセージで返答してもよい。例えば、メッセージは、以下のタイプ：フルＣＳＩ報告、ヌルフレームまたは肯定応答（ＡＣＫ）フレーム、あるいは差分ＣＳＩ報告、のうちの１つを有していてもよい。フルＣＳＩ報告は、完全な分解能で量子化された完全なＣＳＩを持つパケットであってもよい。ヌルフレームまたはＡＣＫフレームは、以前のＣＳＩ送信から、チャネルが大幅に変更していないことを示しているＣＳＩを含まないパケットであってもよい。差分ＣＳＩ報告は、フルＣＳＩ報告に対して使用されるビット数よりも小さいビット数で量子化された以前のＣＳＩ報告に対して、ＣＳＩの量子化された差であってもよい。
【００８１】
ある態様にしたがうと、ＣＳＩ返答メッセージは、ＣＳＩメッセージ（例えば、フルＣＳＩ報告または差分ＣＳＩ報告）のタイプ、および量子化パラメータも示していてもよい。ある態様にしたがうと、量子化パラメータは、代替的なメッセージングスキームにより、アプリオリに規定されてもよい。局からの返答は、シーケンシャルに、バックオフタイマーを使用して、または、ポーリングされるような、上述したスキームのうちの任意のものに続いてもよい。
【００８２】
図１３は、本開示のある態様にしたがった、ヘテロジニアスＣＳＩフィードバックによるＭＡＣプロトコルに対して、アクセスポイントによって実行され得る例示的な動作を図示している。図示されているように、１３０２において、アクセスポイントが、ＣＳＩフィードバックを要求する第１の要求メッセージを１つ以上の装置（例えば、局）に送信してもよい。１３０４において、アクセスポイントは、装置のうちの少なくとも１つから第１のＣＳＩフィードバックを受信してもよく、この第１のＣＳＩフィードバックは、ＣＳＩフィードバックが最後に送信されてから、推定されたチャネルが大幅に変化していないことを示すために、ヌルデータフレームまたは肯定応答フレームのうちの少なくとも１つを含む。
【００８３】
ある態様では、第１の要求メッセージは、ＮＤＰアナウンスフレームであってもよい。また、第１の要求メッセージの後には、ＮＤＰフレームおよびポーリングフレームが続いてもよい。局は、チャネルを推定するためにＮＤＰフレームを使用してもよい。前述したように、ポーリングメッセージは、ある時間において、ＣＳＩ更新をＡＰに送るように局に通知してもよい。第１の要求メッセージはまた、ＣＳＩに対する差分更新をＡＰがサポートしているか否かを示していてもよい。
【００８４】
ある態様では、ＡＰは、ＣＳＩフィードバックを要求する第２の要求メッセージを局に送信してもよい。ＡＰは、その後、局のうちの少なくとも１つから、第２のＣＳＩフィードバックを受信するかもしれない。第２のＣＳＩフィードバックは、以前に受信されたＣＳＩフィードバックが送信されてからの、推定されたチャネルの相対的変化の表現を含んでいてもよい。
【００８５】
ある態様では、ＡＰは、受信したＣＳＩフィードバックに基づいて、局のサブセットへの送信のために使用されるプリコーディング重みを更新してもよい。例えば、ＡＰが、更新されたＣＳＩ値を受信した局に対してプリコーディング重みを更新してもよい。
【００８６】
図１４は、本開示のある態様にしたがった、ヘテロジニアスＣＳＩフィードバックによるＭＡＣプロトコルに対して、局によって実行され得る例示的な動作を図示している。図示されているように、１４０２において、局が、装置（例えば、アクセスポイント）から第１の要求メッセージを受信してもよく、この第１の要求メッセージが、チャネル状態情報（ＣＳＩ）フィードバックを要求する。１４０４において、局は、第１の要求メッセージに応答して、第１のＣＳＩフィードバックメッセージを装置に送信してもよく、この第１のＣＳＩフィードバックメッセージは、ＣＳＩフィードバックが最後に送信されてから、推定されたチャネルが大幅に変化していないことを示すために、ヌルデータフレームまたは肯定応答フレームのうちの少なくとも１つを含む。
【００８７】
解析
本開示の文書中で記述したシナリオについてさらに詳しく説明すると、４０ＭＨｚのＩＥＥＥ８０２．１ｌａｃネットワークは、８アンテナのＡＰおよび１０個のデュアルアンテナ局が、１００ｍｓ、２００ｍｓ、４００ｍｓ、４００ｍｓ、６００ｍｓ、８００ｍｓ、１０００ｍｓ、および、１２００ｍｓのようなチャネルコヒーレンス時間の範囲を経験すると仮定している。これらのチャネルコヒーレンス時間値は、チャネルにおいて、ゆっくりとした歩行行動とともに屋内状態の静止局を含む最近の測定キャンペーンと矛盾しない。（１００ｍｓは、およそ、測定値の１百分位数を表す）。所定の局に対する好ましいＣＳＩフィードバック間隔は、そのチャネルコヒーレンス時間の１０パーセントであると仮定する。加えて、すべての局に対して５４Ｍｂｐｓの名目上のアップリンク容量を仮定してもよい。
【００８８】
提案したプロトコルが実現しない場合、予想される最悪ケースのドップラー条件に適したレートで、すべての局がＣＳＩフィードバックを送信するようにシステムを設計してもよい。１００ｍｓのコヒーレンス時間を仮定すると、すべての局は、ゆえに、ＣＳＩメッセージを、秒あたりに１００回フィードバックするかもしれない。したがって、すべてのＣＳＩフィードバックメッセージに対して要求される総容量は、下記のように：容量＝ＮCSI×Ｎb×Ｎtx×Ｎrx×Ｎc×Ｎsta×ＯMAC＝１００ＣＳＩ／ｓｅｃ×１６ビット／ＣＳＩ×８×２×１１４×１０×１１０％＝３０．６Ｍｂｐｓとして書かれてもよい。ここで、ＮCSIは、秒あたりに報告されるＣＳＩの数を表していてもよく、Ｎbは、それぞれのＣＳＩ値を報告するために使用されるビット数を表していてもよく、Ｎtxは、送信アンテナの数を表していてもよく、Ｎrxは、受信アンテナの数を表していてもよく、Ｎcは、副搬送波の数を表していてもよいく、Ｎstaは、局の数を表していてもよく、ＯMACは、ＭＡＣオーバーヘッドのパーセンテージを表していてもよい。要求される容量（すなわち、３０．６Ｍｂｐｓ）は、およそ、利用可能な５４Ｍｂｐｓアップリンク容量の５７パーセントに等しいかもしれない。
【００８９】
提案したプロトコルを実現する場合、ＣＳＩフィードバックは、それぞれの局のチャネルコヒーレンス時間に適切なレートで行うことができる。先の例では、すべてのＣＳＩフィードバックメッセージを送信するために要求される総スループットは、８．３Ｍｂｐｓに等しくてもよく、この８．３Ｍｂｐｓは、利用可能な５４Ｍｂｐｓアップリンク容量のおよそ１５パーセントを表す。提案したスキームを利用することは、結果として、提案した技術を実現しないケースと比較して、明示のＣＳＩフィードバックに要求されるチャネルオーバーヘッドの７３パーセントの減少をもたらすことができる。
【００９０】
局がＳＮＲまたはＳＩＮＲの範囲にしたがう条件では、より低いフィードバックレートを、低いＭＣＳ局に割り当てることによって、さらなる最適化が可能な場合があり、結果として、付加的なオーバーヘッドの減少となる。
【００９１】
対応する機能を実行することができる任意の適した手段によって、上述した方法のさまざまな動作を実行してもよい。手段は、さまざまなハードウェアおよび／またはソフトウェアコンポーネントおよび／またはモジュールを含んでいてもよく、これらは、回路、特定用途向け集積回路（ＡＳＩＣ）またはプロセッサを含むが、これらに限定されるものではない。一般的に、図面中で図示した動作が存在する場合、これらの動作は、類似したナンバリングを持つ対応する同等のミーンズプラスファンクションコンポーネントを有していてもよい。例えば、図５、図６、図８、図９、図１１、図１２、図１３、および図１４中で図示されている、動作５００および６００、８００、９００、１１００、１２００、１３００および１４００は、それぞれ、図５Ａ、図６Ａ、図８Ａ、図９Ａ、図１１Ａ、図１２Ａ、図１３Ａ、および図１４Ａ中で図示されているミーンズプラスファンクションブロック５００Ａ、６００Ａ、８００Ａ、９００Ａ、１１００Ａ、１２００Ａ、１３００Ａ、および１４００Ａに対応している。
【００９２】
ここで使用されているような、「決定すること」という用語は、幅広いさまざまなアクションを含む。例えば、「決定すること」は、算出することや、計算することや、処理することや、導出することや、調査することや、調べること（例えば、テーブル、データベース、または別のデータ構成中で調べること）や、把握することや、これらに類するものを含んでいてもよい。また、「決定すること」は、受信すること（例えば、情報を受信すること）とや、アクセスすること（例えば、メモリ中のデータにアクセスすること）や、これらに類するものを含んでいてもよい。また、「決定すること」は、解決することや、選択することや、選ぶことや、確立することや、これらに類するものを含んでいてもよい。
【００９３】
ここで使用されているような、「ＡまたはＢのうちの少なくとも１つ」というフレーズは、ＡおよびＢの任意の組み合わせを含むことを意味する。言い換えると、「ＡまたはＢのうちの少なくとも１つ」は、ＡまたはＢ、あるいは、ＡおよびＢを含む。
【００９４】
さまざまなハードウェアおよび／またはソフトウェアコンポーネント、回路、および／またはモジュールのような、動作を実行することができる任意の適した手段によって、上述した方法のさまざまな動作を実行してもよい。一般的に、動作を実行することができる対応する機能的手段によって、図中に図示されている任意の動作を実行してもよい。
【００９５】
本開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）、または他のプログラマブルロジックデバイス（ＰＬＤ）、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの商業的に利用可能なプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【００９６】
本開示と関連して記述した方法またはアルゴリズムのステップは、直接的に、ハードウェアで、プロセッサにより実行されるソフトウェアモジュールで、あるいは、２つのものを組み合わせたもので具体化してもよい。ソフトウェアモジュールは、技術的に知られている何らかの形態の記憶媒体中に存在していてもよい。使用され得る記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令を、または多くの命令を含んでいてもよく、異なるプログラムの中のいくつかの異なるコードセグメントを通して、および、複数の記憶媒体にわたって分散させてもよい。プロセッサが記憶媒体から情報を読み取り、記憶媒体に情報を書き込むことができるように、記憶媒体をプロセッサに結合させてもよい。代替実施形態では、記憶媒体はプロセッサと一体化してもよい。
【００９７】
ここで開示した方法は、記述した方法を達成するための、１つ以上のステップまたはアクションを含む。特許請求の範囲の範囲から逸脱することなく、方法ステップおよび／またはアクションを互いに交換してもよい。言い換えると、ステップまたはアクションの特定の順序が明記されていない限り、特許請求の範囲の範囲から逸脱することなく、特定のステップおよび／またはアクションの、順序ならびに／あるいは使用を修正してもよい。
【００９８】
記述した機能は、ハードウェアで、ソフトウェアで、ファームウェアで、またはこれらの任意の組み合わせで実現してもよい。ソフトウェアで実現した場合、機能は、コンピュータ読み取り可能媒体上に１つ以上の命令として記憶してもよい。記憶媒体は、コンピュータによってアクセスできる任意の利用可能な媒体であってもよい。例示によると、このようなコンピュータ読み取り可能な媒体は、ＲＡＭ、ＲＯＭ、ＥＥＰＲＯＭ、ＣＤ−ＲＯＭ、あるいは他の光ディスク記憶デバイス、磁気ディスク記憶デバイスまたは他の磁気記憶デバイス、あるいは命令またはデータ構成の形態で所望のプログラムコード手段を伝送または記憶するために使用でき、コンピュータによってアクセスできる他の何らかの媒体を含むことができるが、これらに限定されない。ここで使用したようなディスク（ｄｉｓｋおよびｄｉｓｃ）は、コンパクトディスク（ＣＤ）や、レーザディスクや、光ディスクや、デジタル汎用ディスク（ＤＶＤ）や、フロッピー（登録商標）ディスクや、ブルーレイ（登録商標）ディスクを含むが、一般的に、ディスク（ｄｉｓｋ）は、データを磁気的に再生する一方で、ディスク（ｄｉｓｃ）は、データをレーザによって光学的に再生する。
【００９９】
したがって、ある態様は、ここで提示した動作を実行するためのコンピュータプログラムプロダクトを含んでいてもよい。例えば、このようなコンピュータプログラムプロダクトは、そこに命令を記憶させる（および／またはエンコードさせる）コンピュータ読み取り可能媒体を含んでいてもよく、命令は、ここで記述した動作を実行するために１つ以上のプロセッサによって実行可能である。ある態様では、コンピュータプログラムプロダクトは、パッケージングマテリアルを含んでいてもよい。
【０１００】
送信媒体を通して、ソフトウェアまたは命令も送信してもよい。例えば、ソフトウェアが、ウェブサイトから、サーバから、あるいは同軸ケーブル、ファイバ光ケーブル、撚り対、デジタル加入者線（ＤＳＬ）、または赤外線、無線、マイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、送信媒体の定義に含まれる。
【０１０１】
さらに、ここで記述した方法および技術を実行するモジュールおよび／または他の適切な手段は、ダウンロードすることができる、および／または、そうでなければ、適用できるように、ユーザ端末および／または基地局によって取得することができることを正しく認識すべきである。例えば、ここで記述した方法を実行する手段の転送を促進するために、このようなデバイスを、サーバに結合させることができる。代替的に、記憶手段（例えば、ＲＡＭや、ＲＯＭや、コンパクトディスク（ＣＤ）またはフロッピーディスク等のような物理記憶媒体）を通して、ここで記述するさまざまな方法を提供することができ、これにより、ユーザ端末および／または基地局が、記憶手段をデバイスに結合または提供する際に、さまざまな方法を取得することができる。さらには、ここで記述した方法および技術をデバイスに提供する他の何らかの適した技術を利用することができる。
【０１０２】
特許請求の範囲は、先に図示した、正確な構成およびコンポーネントに限定されないことを理解すべきである。特許請求の範囲の範囲から逸脱することなく、上述した、方法および装置の構成、動作、および詳細において、さまざまな改良、変更、およびバリエーションがなされてもよい。
【０１０３】
さまざまな応用において、ここで提供した技術を利用してもよい。ある態様では、ここで提示した技術を、アクセスポイント局に、アクセス端末に、移動体ハンドセットに、または、ここで提供した技術を実行するための、処理ロジックおよびエレメントを持つ他のタイプのワイヤレスデバイスに組み込んでもよい。
【０１０４】
前述は、本発明の態様に向けられているが、これらの基本的な範囲を逸脱することなく、および、後続する特許請求の範囲によって決定されるこれらの範囲から逸脱することなく、この発明の他の態様、および、さらなる態様を考案してもよい。
【図１】
2014096822.tif 000003
【図２】
2014096822.tif 000004
【図３】
2014096822.tif 000005
【図４】
2014096822.tif 000006
【図５】
2014096822.tif 000007
【図５Ａ】
2014096822.tif 000008
【図６】
2014096822.tif 000009
【図６Ａ】
2014096822.tif 000010
【図７】
2014096822.tif 000011
【図８】
2014096822.tif 000012
【図８Ａ】
2014096822.tif 000013
【図９】
2014096822.tif 000014
【図９Ａ】
2014096822.tif 000015
【図１０】
2014096822.tif 000016
【図１１】
2014096822.tif 000017
【図１１Ａ】
2014096822.tif 000018
【図１２】
2014096822.tif 000019
【図１２Ａ】
2014096822.tif 000020
【図１３】
2014096822.tif 000021
【図１３Ａ】
2014096822.tif 000022
【図１４】
2014096822.tif 000023
【図１４Ａ】
2014096822.tif 000024
【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
チャネル状態情報（ＣＳＩ）を更新する必要があるか否かを決定することと、
装置から、ポーリングメッセージのシーケンスのうちのポーリングメッセージを受信することと、
前記ＣＳＩを更新する必要があることを決定した場合、前記ポーリングメッセージに応答して、前記ポーリングメッセージを受信した後にある時間内にＣＳＩフィードバックを前記装置に送信することとを含む方法。
【請求項２】
前記ポーリングメッセージの前には、ＮＤＰフレームが後続するヌルデータパケット（ＮＤＰ）アナウンスフレームが先行する請求項１記載の方法。
【請求項３】
前記決定は、
最も最近のＣＳＩ更新が送信されてからの、チャネルエイジングの程度を決定することを含む請求項１記載の方法。
【請求項４】
前記決定は、
前記装置から受信した１つ以上の信号に基づいて、ＣＳＩ値を計算することと、
前記ＣＳＩ値と、前記装置に送信された最も最近のＣＳＩ値とを比較することと、
前記ＣＳＩ値と前記最も最近のＣＳＩ値との間の差が、しきい値に等しい場合に、または、しきい値よりも大きい場合に、ＣＳＩを更新することを決めることとを含む請求項１記載の方法。
【請求項５】
前記ＣＳＩフィードバックは、現在の推定されたチャネルの表現を含む請求項１記載の方法。
【請求項６】
前記ＣＳＩフィードバックは、前記ＣＳＩフィードバックの以前の送信のときからの、推定されたチャネルの相対的変化の表現を含む請求項１記載の方法。
【請求項７】
前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む請求項６記載の方法。
【請求項８】
前記ＣＳＩフィードバックは、前記ＣＳＩフィードバック中に含まれているＣＳＩのタイプの指示を含む請求項１記載の方法。
【請求項９】
前記ＣＳＩフィードバックのタイプは、マルチユーザ（ＭＵ）または単一ユーザ（ＳＵ）である請求項８記載の方法。
【請求項１０】
前記ポーリングメッセージは、前記ポーリングメッセージを送信した前記装置によってサポートされているＣＳＩフィードバックのタイプの指示を含む請求項１記載の方法。
【請求項１１】
前記ＣＳＩフィードバックのタイプは、マルチユーザ（ＭＵ）または単一ユーザ（ＳＵ）である請求項１０記載の方法。
【請求項１２】
前記ポーリングメッセージは、ＣＳＩフィードバックに対する差分更新がサポートされているか否かの指示を含む請求項１０記載の方法。
【請求項１３】
ワイヤレス通信のための装置において、
チャネル状態情報（ＣＳＩ）を更新する必要があるか否かを決定するように構成されている回路と、
装置から、ポーリングメッセージのシーケンスのうちのポーリングメッセージを受信するように構成されている受信機と、
前記ＣＳＩを更新する必要があることを決定した場合、前記ポーリングメッセージに応答して、前記ポーリングメッセージを受信した後にある時間内にＣＳＩフィードバックを前記装置に送信するように構成されている送信機とを具備する装置。
【請求項１４】
前記ポーリングメッセージの前には、ＮＤＰフレームが後続するヌルデータパケット（ＮＤＰ）アナウンスフレームが先行する請求項１３記載の装置。
【請求項１５】
前記決定するように構成されている回路は、
最も最近のＣＳＩ更新が送信されてからの、チャネルエイジングの程度を決定するように構成されている回路を含む請求項１３記載の装置。
【請求項１６】
前記決定するように構成されている回路は、
前記装置から受信した１つ以上の信号に基づいて、ＣＳＩ値を計算するように構成されている回路と、
前記ＣＳＩ値と、前記装置に送信された最も最近のＣＳＩ値とを比較するように構成されている回路と、
前記ＣＳＩ値と前記最も最近のＣＳＩ値との間の差が、しきい値に等しい場合に、または、しきい値よりも大きい場合に、ＣＳＩを更新することを決めるように構成されている回路とを含む請求項１３記載の装置。
【請求項１７】
前記ＣＳＩフィードバックは、現在の推定されたチャネルの表現を含む請求項１３記載の装置。
【請求項１８】
前記ＣＳＩフィードバックは、前記ＣＳＩフィードバックの以前の送信のときからの、推定されたチャネルの相対的変化の表現を含む請求項１３記載の装置。
【請求項１９】
前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む請求項１８記載の装置。
【請求項２０】
前記ＣＳＩフィードバックは、前記ＣＳＩフィードバック中に含まれているＣＳＩのタイプの指示を含む請求項１３記載の装置。
【請求項２１】
前記ＣＳＩフィードバックのタイプは、マルチユーザ（ＭＵ）または単一ユーザ（ＳＵ）である請求項２０記載の装置。
【請求項２２】
前記ポーリングメッセージは、前記ポーリングメッセージを送信した前記装置によってサポートされているＣＳＩフィードバックのタイプの指示を含む請求項１３記載の装置。
【請求項２３】
前記ＣＳＩフィードバックのタイプは、マルチユーザ（ＭＵ）または単一ユーザ（ＳＵ）である請求項２２記載の装置。
【請求項２４】
前記ポーリングメッセージは、ＣＳＩフィードバックに対する差分更新がサポートされているか否かの指示を含む請求項２２記載の装置。
【請求項２５】
ワイヤレス通信のための装置において、
チャネル状態情報（ＣＳＩ）を更新する必要があるか否かを決定する手段と、
装置から、ポーリングメッセージのシーケンスのうちのポーリングメッセージを受信する手段と、
前記ＣＳＩを更新する必要があることを決定した場合、前記ポーリングメッセージに応答して、前記ポーリングメッセージを受信した後にある時間内にＣＳＩフィードバックを前記装置に送信する手段とを具備する装置。
【請求項２６】
前記ポーリングメッセージの前には、ＮＤＰフレームが後続するヌルデータパケット（ＮＤＰ）アナウンスフレームが先行する請求項２５記載の装置。
【請求項２７】
前記決定する手段は、
最も最近のＣＳＩ更新が送信されてからの、チャネルエイジングの程度を決定する手段を備える請求項２５記載の装置。
【請求項２８】
前記決定する手段は、
前記装置から受信した１つ以上の信号に基づいて、ＣＳＩ値を計算する手段と、
前記ＣＳＩ値と、前記装置に送信された最も最近のＣＳＩ値とを比較する手段と、
前記ＣＳＩ値と前記最も最近のＣＳＩ値との間の差が、しきい値に等しい場合に、または、しきい値よりも大きい場合に、ＣＳＩを更新することを決める手段とを備える請求項２５記載の装置。
【請求項２９】
前記ＣＳＩフィードバックは、現在の推定されたチャネルの表現を含む請求項２５記載の装置。
【請求項３０】
前記ＣＳＩフィードバックは、前記ＣＳＩフィードバックの以前の送信のときからの、推定されたチャネルの相対的変化の表現を含む請求項２５記載の装置。
【請求項３１】
前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む請求項３０記載の装置。
【請求項３２】
前記ＣＳＩフィードバックは、前記ＣＳＩフィードバック中に含まれているＣＳＩのタイプの指示を含む請求項２５記載の装置。
【請求項３３】
前記ＣＳＩフィードバックのタイプは、マルチユーザ（ＭＵ）または単一ユーザ（ＳＵ）である請求項３２記載の装置。
【請求項３４】
前記ポーリングメッセージは、前記ポーリングメッセージを送信した前記装置によってサポートされているＣＳＩフィードバックのタイプの指示を含む請求項２５記載の装置。
【請求項３５】
前記ＣＳＩフィードバックのタイプは、マルチユーザ（ＭＵ）または単一ユーザ（ＳＵ）である請求項３４記載の装置。
【請求項３６】
前記ポーリングメッセージは、ＣＳＩフィードバックに対する差分更新がサポートされているか否かの指示を含む請求項３４記載の装置。
【請求項３７】
ワイヤレス通信のためのコンピュータ読み取り可能記憶媒体において、
チャネル状態情報（ＣＳＩ）を更新する必要があるか否かを決定するために実行可能な命令と、
装置から、ポーリングメッセージのシーケンスのうちのポーリングメッセージを受信するために実行可能な命令と、
前記ＣＳＩを更新する必要があることを決定した場合、前記ポーリングメッセージに応答して、前記ポーリングメッセージを受信した後にある時間内にＣＳＩフィードバックを前記装置に送信するために実行可能な命令とを含むコンピュータ読み取り可能記憶媒体。
【請求項３８】
ワイヤレス通信のための局において、
少なくとも１本のアンテナと、
チャネル状態情報（ＣＳＩ）を更新する必要があるか否かを決定するように構成されている回路と、
前記少なくとも１本のアンテナを通して、装置から、ポーリングメッセージのシーケンスのうちのポーリングメッセージを受信するように構成されている受信機と、
前記ＣＳＩを更新する必要があることを決定した場合、前記ポーリングメッセージに応答して、前記ポーリングメッセージを受信した後にある時間内にＣＳＩフィードバックを前記装置に送信するように構成されている送信機とを具備する局。
【手続補正２】
【補正対象書類名】明細書
【補正対象項目名】０１０４
【補正方法】変更
【補正の内容】
【０１０４】
前述は、本発明の態様に向けられているが、これらの基本的な範囲を逸脱することなく、および、後続する特許請求の範囲によって決定されるこれらの範囲から逸脱することなく、この発明の他の態様、および、さらなる態様を考案してもよい。
以下に、本願の出願当初請求項に記載された発明を付記する。
［１］ワイヤレス通信のための方法において、
チャネル状態情報（ＣＳＩ）フィードバックのために複数の装置のそれぞれをポーリングするための、別個のポーリングメッセージを送信することと、
前記ポーリングメッセージに応答して、前記ポーリングされた装置のうちの１つ以上からＣＳＩフィードバックを受信することとを含む方法。
［２］前記ポーリングメッセージの前には、ＮＤＰフレームが後続するヌルデータパケット（ＮＤＰ）アナウンスフレームが先行する［１］記載の方法。
［３］ゆっくりと進化するチャネルで経時的に装置に送信されるポーリングメッセージは、より早く進化するチャネルで装置に送信されるポーリングメッセージと比較して頻度が低い［１］記載の方法。
［４］前記受信したＣＳＩフィードバックに基づいて、前記装置への送信のために使用されるプリコーディング重みを更新することをさらに含む［１］記載の方法。
［５］前記ＣＳＩフィードバックを受信することは、前記複数の装置のすべてよりも少ない装置からＣＳＩフィードバックを受信することを含む［１］記載の方法。
［６］前記ＣＳＩフィードバックは、現在の推定されたチャネルの表現を含む［１］記載の方法。
［７］前記ＣＳＩフィードバックは、以前に受信されたＣＳＩフィードバックが送信されてからの、推定されたチャネルの相対的変化の表現を含む［１］記載の方法。
［８］前記ＣＳＩフィードバックは、前記ＣＳＩフィードバックが最後に受信されてから前記推定されたチャネルが大幅に変更していないことを示すために、ヌルデータフレームまたは肯定応答フレームのうちの少なくとも１つを含む［７］記載の方法。
［９］前記ＣＳＩフィードバックは、前記ＣＳＩフィードバック中に含まれているＣＳＩのタイプの指示を含む［１］記載の方法。
［１０］前記ＣＳＩフィードバックのタイプは、マルチユーザ（ＭＵ）または単一ユーザ（ＳＵ）である［９］記載の方法。
［１１］前記ポーリングメッセージは、前記ポーリングメッセージを送信した要求デバイスによってサポートされているＣＳＩフィードバックのタイプの指示を含む［１］記載の方法。
［１２］前記ポーリングメッセージは、ＣＳＩフィードバックに対する差分更新がサポートされているか否かの指示を含む［１１］記載の方法。
［１３］前記ＣＳＩフィードバックの受信を肯定応答する肯定応答メッセージを送信することをさらに含む［１］記載の方法。
［１４］ワイヤレス通信のための方法において、
チャネル状態情報（ＣＳＩ）を更新する必要があるか否かを決定することと、
装置からポーリングメッセージを受信することと、
前記ＣＳＩを更新する必要があることを決定した場合、前記ポーリングメッセージに応答して、ＣＳＩフィードバックを前記装置に送信することとを含む方法。
［１５］前記ポーリングメッセージの前には、ＮＤＰフレームが後続するヌルデータパケット（ＮＤＰ）アナウンスフレームが先行する［１４］記載の方法。
［１６］前記決定は、
最も最近のＣＳＩ更新が送信されてからの、チャネルエイジングの程度を決定することを含む［１４］記載の方法。
［１７］前記決定は、
前記装置から受信した１つ以上の信号に基づいて、ＣＳＩ値を計算することと、
前記ＣＳＩ値と、前記装置に送信された最も最近のＣＳＩ値とを比較することと、
前記ＣＳＩ値と前記最も最近のＣＳＩ値との間の差が、しきい値に等しい場合に、または、しきい値よりも大きい場合に、ＣＳＩを更新することを決めることとを含む［１４］記載の方法。
［１８］前記ＣＳＩフィードバックは、現在の推定されたチャネルの表現を含む［１４］記載の方法。
［１９］前記ＣＳＩフィードバックは、前記ＣＳＩフィードバックの以前の送信のときからの、推定されたチャネルの相対的変化の表現を含む［１４］記載の方法。
［２０］前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む［１９］記載の方法。
［２１］前記ＣＳＩフィードバックは、前記ＣＳＩフィードバック中に含まれているＣＳＩのタイプの指示を含む［１４］記載の方法。
［２２］前記ＣＳＩフィードバックのタイプは、マルチユーザ（ＭＵ）または単一ユーザ（ＳＵ）である［２１］記載の方法。
［２３］前記ポーリングメッセージは、前記ポーリングメッセージを送信した前記装置によってサポートされているＣＳＩフィードバックのタイプの指示を含む［１４］記載の方法。
［２４］前記ＣＳＩフィードバックのタイプは、マルチユーザ（ＭＵ）または単一ユーザ（ＳＵ）である［２３］記載の方法。
［２５］前記ポーリングメッセージは、ＣＳＩフィードバックに対する差分更新がサポートされているか否かの指示を含む［２３］記載の方法。
［２６］ワイヤレス通信のための装置において、
チャネル状態情報（ＣＳＩ）フィードバックのために複数の装置のそれぞれをポーリングするための、別個のポーリングメッセージを送信するように構成されている送信機と、
前記ポーリングメッセージに応答して、前記ポーリングされた装置のうちの１つ以上からＣＳＩフィードバックを受信するように構成されている受信機とを具備する装置。
［２７］前記ポーリングメッセージの前には、ＮＤＰフレームが後続するヌルデータパケット（ＮＤＰ）アナウンスフレームが先行する［２６］記載の装置。
［２８］ゆっくりと進化するチャネルで経時的に装置に送信されるポーリングメッセージは、より早く進化するチャネルで装置に送信されるポーリングメッセージと比較して頻度が低い［２６］記載の装置。
［２９］前記受信したＣＳＩフィードバックに基づいて、前記装置への送信のために使用されるプリコーディング重みを更新するように構成されている回路をさらに具備する［２６］記載の装置。
［３０］前記ＣＳＩフィードバックを受信するように構成されている回路は、前記複数の装置のすべてよりも少ない装置からＣＳＩフィードバックを受信するように構成されている回路を含む［２６］記載の装置。
［３１］前記ＣＳＩフィードバックは、現在の推定されたチャネルの表現を含む［２６］記載の装置。
［３２］前記ＣＳＩフィードバックは、以前に受信されたＣＳＩフィードバックが送信されてからの、推定されたチャネルの相対的変化の表現を含む［２６］記載の装置。
［３３］前記ＣＳＩフィードバックは、前記ＣＳＩフィードバックが最後に受信されてから前記推定されたチャネルが大幅に変更していないことを示すために、ヌルデータフレームまたは肯定応答フレームのうちの少なくとも１つを含む［３２］記載の装置。
［３４］前記ＣＳＩフィードバックは、前記ＣＳＩフィードバック中に含まれているＣＳＩのタイプの指示を含む［２６］記載の装置。
［３５］前記ＣＳＩフィードバックのタイプは、マルチユーザ（ＭＵ）または単一ユーザ（ＳＵ）である［３４］記載の装置。
［３６］前記ポーリングメッセージは、前記ポーリングメッセージを送信した要求デバイスによってサポートされているＣＳＩフィードバックのタイプの指示を含む［２６］記載の装置。
［３７］前記ポーリングメッセージは、ＣＳＩフィードバックに対する差分更新がサポートされているか否かの指示を含む［３６］記載の装置。
［３８］前記送信機は、前記ＣＳＩフィードバックの受信を肯定応答する肯定応答メッセージを送信するようにさらに構成されている［２６］記載の装置。
［３９］ワイヤレス通信のための装置において、
チャネル状態情報（ＣＳＩ）を更新する必要があるか否かを決定するように構成されている回路と、
装置からポーリングメッセージを受信するように構成されている受信機と、
前記ＣＳＩを更新する必要があることを決定した場合、前記ポーリングメッセージに応答して、ＣＳＩフィードバックを前記装置に送信するように構成されている送信機とを具備する装置。
［４０］前記ポーリングメッセージの前には、ＮＤＰフレームが後続するヌルデータパケット（ＮＤＰ）アナウンスフレームが先行する［３９］記載の装置。
［４１］前記決定するように構成されている回路は、
最も最近のＣＳＩ更新が送信されてからの、チャネルエイジングの程度を決定するように構成されている回路を含む［３９］記載の装置。
［４２］前記決定するように構成されている回路は、
前記装置から受信した１つ以上の信号に基づいて、ＣＳＩ値を計算するように構成されている回路と、
前記ＣＳＩ値と、前記装置に送信された最も最近のＣＳＩ値とを比較するように構成されている回路と、
前記ＣＳＩ値と前記最も最近のＣＳＩ値との間の差が、しきい値に等しい場合に、または、しきい値よりも大きい場合に、ＣＳＩを更新することを決めるように構成されている回路とを含む［３９］記載の装置。
［４３］前記ＣＳＩフィードバックは、現在の推定されたチャネルの表現を含む［３９］記載の装置。
［４４］前記ＣＳＩフィードバックは、前記ＣＳＩフィードバックの以前の送信のときからの、推定されたチャネルの相対的変化の表現を含む［３９］記載の装置。
［４５］前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む［４４］記載の装置。
［４６］前記ＣＳＩフィードバックは、前記ＣＳＩフィードバック中に含まれているＣＳＩのタイプの指示を含む［３９］記載の装置。
［４７］前記ＣＳＩフィードバックのタイプは、マルチユーザ（ＭＵ）または単一ユーザ（ＳＵ）である［４６］記載の装置。
［４８］前記ポーリングメッセージは、前記ポーリングメッセージを送信した前記装置によってサポートされているＣＳＩフィードバックのタイプの指示を含む［３９］記載の装置。
［４９］前記ＣＳＩフィードバックのタイプは、マルチユーザ（ＭＵ）または単一ユーザ（ＳＵ）である［４８］記載の装置。
［５０］前記ポーリングメッセージは、ＣＳＩフィードバックに対する差分更新がサポートされているか否かの指示を含む［４８］記載の装置。
［５１］ワイヤレス通信のための装置において、
チャネル状態情報（ＣＳＩ）フィードバックのために複数の装置のそれぞれをポーリングするための、別個のポーリングメッセージを送信する手段と、
前記ポーリングメッセージに応答して、前記ポーリングされた装置のうちの１つ以上からＣＳＩフィードバックを受信する手段とを具備する装置。
［５２］前記ポーリングメッセージの前には、ＮＤＰフレームが後続するヌルデータパケット（ＮＤＰ）アナウンスフレームが先行する［５１］記載の装置。
［５３］ゆっくりと進化するチャネルで経時的に装置に送信されるポーリングメッセージは、より早く進化するチャネルで装置に送信されるポーリングメッセージと比較して頻度が低い［５１］記載の装置。
［５４］前記受信したＣＳＩフィードバックに基づいて、前記装置への送信のために使用されるプリコーディング重みを更新する手段をさらに具備する［５１］記載の装置。
［５５］前記ＣＳＩフィードバックを受信する手段は、前記複数の装置のすべてよりも少ない装置からＣＳＩフィードバックを受信する手段を備える［５１］記載の装置。
［５６］前記ＣＳＩフィードバックは、現在の推定されたチャネルの表現を含む［５１］記載の装置。
［５７］前記ＣＳＩフィードバックは、以前に受信されたＣＳＩフィードバックが送信されてからの、推定されたチャネルの相対的変化の表現を含む［５１］記載の装置。
［５８］前記ＣＳＩフィードバックは、前記ＣＳＩフィードバックが最後に受信されてから前記推定されたチャネルが大幅に変更していないことを示すために、ヌルデータフレームまたは肯定応答フレームのうちの少なくとも１つを含む［５７］記載の装置。
［５９］前記ＣＳＩフィードバックは、前記ＣＳＩフィードバック中に含まれているＣＳＩのタイプの指示を含む［５１］記載の装置。
［６０］前記ＣＳＩフィードバックのタイプは、マルチユーザ（ＭＵ）または単一ユーザ（ＳＵ）である［５９］記載の装置。
［６１］前記ポーリングメッセージは、前記ポーリングメッセージを送信した要求デバイスによってサポートされているＣＳＩフィードバックのタイプの指示を含む［５１］記載の装置。
［６２］前記ポーリングメッセージは、ＣＳＩフィードバックに対する差分更新がサポートされているか否かの指示を含む［６１］記載の装置。
［６３］前記送信する手段は、前記ＣＳＩフィードバックの受信を肯定応答する肯定応答メッセージを送信する手段をさらに備える［５１］記載の装置。
［６４］ワイヤレス通信のための装置において、
チャネル状態情報（ＣＳＩ）を更新する必要があるか否かを決定する手段と、
装置からポーリングメッセージを受信する手段と、
前記ＣＳＩを更新する必要があることを決定した場合、前記ポーリングメッセージに応答して、ＣＳＩフィードバックを前記装置に送信する手段とを具備する装置。
［６５］前記ポーリングメッセージの前には、ＮＤＰフレームが後続するヌルデータパケット（ＮＤＰ）アナウンスフレームが先行する［６４］記載の装置。
［６６］前記決定する手段は、
最も最近のＣＳＩ更新が送信されてからの、チャネルエイジングの程度を決定する手段を備える［６４］記載の装置。
［６７］前記決定する手段は、
前記装置から受信した１つ以上の信号に基づいて、ＣＳＩ値を計算する手段と、
前記ＣＳＩ値と、前記装置に送信された最も最近のＣＳＩ値とを比較する手段と、
前記ＣＳＩ値と前記最も最近のＣＳＩ値との間の差が、しきい値に等しい場合に、または、しきい値よりも大きい場合に、ＣＳＩを更新することを決める手段とを備える［６４］記載の装置。
［６８］前記ＣＳＩフィードバックは、現在の推定されたチャネルの表現を含む［６４］記載の装置。
［６９］前記ＣＳＩフィードバックは、前記ＣＳＩフィードバックの以前の送信のときからの、推定されたチャネルの相対的変化の表現を含む［６４］記載の装置。
［７０］前記ＣＳＩフィードバックは、前記ＣＳＩフィードバックが最後に送信されてから前記推定されたチャネルが大幅に変更していないことを示すために、ヌルデータフレームまたは肯定応答フレームのうちの少なくとも１つを含む［６９］記載の装置。
［７１］前記ＣＳＩフィードバックは、前記ＣＳＩフィードバック中に含まれているＣＳＩのタイプの指示を含む［６４］記載の装置。
［７２］前記ＣＳＩフィードバックのタイプは、マルチユーザ（ＭＵ）または単一ユーザ（ＳＵ）である［７１］記載の装置。
［７３］前記ポーリングメッセージは、前記ポーリングメッセージを送信した前記装置によってサポートされているＣＳＩフィードバックのタイプの指示を含む［６４］記載の装置。
［７４］前記ＣＳＩフィードバックのタイプは、マルチユーザ（ＭＵ）または単一ユーザ（ＳＵ）である［７３］記載の装置。
［７５］前記ポーリングメッセージは、ＣＳＩフィードバックに対する差分更新がサポートされているか否かの指示を含む［７３］記載の装置。
［７６］ワイヤレス通信のためのコンピュータプログラムプロダクトにおいて、
チャネル状態情報（ＣＳＩ）フィードバックのために複数の装置のそれぞれをポーリングするための、別個のポーリングメッセージを送信するために実行可能な命令と、
前記ポーリングメッセージに応答して、前記ポーリングされた装置のうちの１つ以上からＣＳＩフィードバックを受信するために実行可能な命令とを含むコンピュータ読み取り可能媒体を具備するコンピュータプログラムプロダクト。
［７７］ワイヤレス通信のためのコンピュータプログラムプロダクトにおいて、
チャネル状態情報（ＣＳＩ）を更新する必要があるか否かを決定するために実行可能な命令と、
装置からポーリングメッセージを受信するために実行可能な命令と、
前記ＣＳＩを更新する必要があることを決定した場合、前記ポーリングメッセージに応答して、ＣＳＩフィードバックを前記装置に送信するために実行可能な命令とを含むコンピュータ読み取り可能媒体を具備するコンピュータプログラムプロダクト。
［７８］ワイヤレス通信のためのアクセスポイントにおいて、
複数のアンテナと、
チャネル状態情報（ＣＳＩ）フィードバックのために複数の装置のそれぞれをポーリングするための別個のポーリングメッセージを、前記複数のアンテナを通して送信するように構成されている送信機と、
前記ポーリングメッセージに応答して、前記ポーリングされた装置のうちの１つ以上からＣＳＩフィードバックを受信するように構成されている受信機とを具備するアクセスポイント。
［７９］ワイヤレス通信のための局において、
少なくとも１本のアンテナと、
チャネル状態情報（ＣＳＩ）を更新する必要があるか否かを決定するように構成されている回路と、
前記少なくとも１本のアンテナを通して、装置からポーリングメッセージを受信するように構成されている受信機と、
前記ＣＳＩを更新する必要があることを決定した場合、前記ポーリングメッセージに応答して、ＣＳＩフィードバックを前記装置に送信するように構成されている送信機とを具備する局。
【外国語明細書】
2014096822000001.pdf